(57)【特許請求の範囲】
【請求項１】
壁又はドア又はドアの袖付き枠又は引き戸である本体と、
この本体を貫通し、荷物を入れる貫通孔と、 
前記本体又は枠体に回動自在に接続され、前記貫通孔を開閉する外側蓋体と、
前記貫通孔内に折曲自在に収納され、室内側へ突出して、内部に前記荷物を受け  
入れる収納体とを備え、
前記収納体は、前記枠体、背面部、右側面部、左側面部、上面部、底面部を有し、
前記右側面部は、前記枠体と前記背面部に回動自在に接続され、
前記左側面部は、前記枠体と前記背面部に回動自在に接続され、
前記上面部は、前記枠体に回動自在に接続され、
前記底面部は、前記枠体に回動自在に接続され、
前記右側面部は、折曲自在であり、
前記左側面部は、折曲自在であり、
前記収納体の前記貫通孔内への収納時、前記収納体は、折り畳まれて前記貫通孔内  
に収納され、
前記荷物を受け入れ時、前記貫通孔内に折り畳まれた前記収納体を、室内側へ突出  
するように展開させて、前記収納体内に前記荷物を受け入れ、受け入れ後、前記外側蓋体
を閉め、
前記展開の状態は、室外側から前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、
前記収納体内の前記荷物の排出時、前記外側蓋体を開け、前記収納体内に受け入れた
前記荷物を取り出すものであり、
一方の端部は前記底面部に接続され、中途は前記枠体と前記上面部との間を通り、他方の端部は、前記背面部の貫通孔を介して前記背面部の外側に位置させた紐状部材を有し、
前記紐状部材の一方の端部は、前記荷物の受け入れ開口部より、前記背面部に近い側の前記底面部の部位に接続されており、
前記収納体内に前記荷物が収納された状態にあって、前記紐状部材の中途は室外側から見て前記荷物の背面に位置し、前記背面部の外側に位置した前記紐状部材を引っ張って、前記底面部を前記開口部に向かって回動させて、前記紐状部材及び前記底面部により前記荷物を前記開口部側へ移動させる
ことを特徴とする荷物の受け入れ取り出し方法。
【請求項２】
壁又はドア又はドアの袖付き枠又は引き戸である本体と、
この本体を貫通し、荷物を入れる貫通孔と、 
前記本体に回動自在に接続され、前記貫通孔を開閉する外側蓋体と、
前記貫通孔内に折曲自在に収納され、室内側へ突出して、内部に前記荷物を受け  
入れる収納体とを備え、
前記収納体は、枠体、背面部、右側面部、左側面部、上面部、底面部を有し、
前記右側面部は、前記枠体と前記背面部に回動自在に接続され、
前記左側面部は、前記枠体と前記背面部に回動自在に接続され、
前記上面部は、前記枠体に回動自在に接続され、
前記底面部は、前記枠体に回動自在に接続され、
前記右側面部は、折曲自在であり、
前記左側面部は、折曲自在であり、
前記収納体の前記貫通孔内への収納時、前記収納体は、折り畳まれて前記貫通孔内  
に収納され、
前記荷物を受け入れ時、前記貫通孔内に折り畳まれた前記収納体を、室内側へ突出  
するように展開させて、前記収納体内に前記荷物を受け入れ、受け入れ後、前記外側蓋体
を閉め、
前記展開の状態は、室外側から前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、
前記収納体内の前記荷物の排出時、前記外側蓋体を開け、前記収納体内に受け入れた
前記荷物を取り出すものであり、
前記右側面部は、第１の右側面部と第２の右側面部とを有し、
前記第１の右側面部と前記第２の右側面部とは第１のバネ付蝶番によって接続され、
前記左側面部は、第１の左側面部と第２の左側面部とを有し、
前記第１の左側面部と前記第２の左側面部とは第２のバネ付蝶番によって接続され、
前記収納体の貫通孔内への収納時、前記第１のバネ付蝶番及び前記第２のバネ付蝶番の付勢力に抗して、前記右側面部及び前記左側面部が折れ曲がり、室外側から見て、前記貫通孔側に回動した前記上面部及び前記底面部の後方に折れ曲がった前記右側面部及び前記左側面部が位置し、
前記荷物の受け入れ時、前記上面部及び/又は前記底面部を回動させて、前記右側面部及び/又は前記左側面部を押し広げて、前記収納体が展開する
ことを特徴とする荷物の受け入れ取り出し方法。
【請求項３】
壁又はドア又はドアの袖付き枠又は引き戸又は門扉又は前記門扉近傍に設置された壁体である本体と、
この本体を貫通し、荷物を入れる貫通孔と、 
前記本体に取付けられる枠体に回動自在に接続され、前記貫通孔を開閉する蓋体と、
前記貫通孔内に折曲自在に収納され、前記蓋体から遠ざかる方向に突出して、内部に前記荷物を受け入れる収納体とを備え、
前記収納体は、背面部、右側面部、左側面部、上面部、底面部を有し、
前記右側面部は、前記枠体と前記背面部に回動自在に接続され、
前記左側面部は、前記枠体と前記背面部に回動自在に接続され、
前記上面部は、前記枠体に回動自在に接続され、
前記底面部は、前記枠体に回動自在に接続され、
前記右側面部は、折曲自在であり、
前記左側面部は、折曲自在であり、
前記収納体の前記貫通孔内への収納時、前記収納体は、折り畳まれて前記貫通孔内  
に収納され、
前記荷物を受け入れ時、前記蓋体を開け、前記貫通孔内に折り畳まれた前記収納体を、前記蓋体から遠ざかる方向へ突出するように展開させて、前記収納体内に前記荷物を受け入れ、受け入れ後、前記蓋体を閉め、
前記展開の状態は、前記蓋体を開けた前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、
前記右側面部は、第１の右側面部と第２の右側面部とを有し、
前記第１の右側面部と前記第２の右側面部とは第１の蝶番によって接続され、
前記左側面部は、第１の左側面部と第２の左側面部とを有し、
前記第１の左側面部と前記第２の左側面部とは第２の蝶番によって接続され、
前記右側面部と前記枠体とは第３の蝶番によって接続され、
前記左側面部と前記枠体とは第４の蝶番によって接続され、
前記右側面部と前記背面部とは第５の蝶番によって接続され、
前記左側面部と前記背面部とは第６の蝶番によって接続され、
バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つであり、
前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、
前記荷物の受け入れ時又は、前記荷物を前記背面部に向かって押し込み時、前記上面部及び/又は前記底面部を回動させて、前記右側面部及び/又は前記左側面部を前記バネ付蝶番の付勢力に利用して押し広げて、前記収納体が展開する
ことを特徴とする荷物の受け入れ方法。
【請求項４】
壁又はドア又はドアの袖付き枠又は引き戸又は門扉又は前記門扉近傍に設置された壁体である本体と、
この本体を貫通し、荷物を入れる貫通孔と、
前記本体に取付けられる第１の枠体に回動自在に接続され、前記貫通孔を開閉する蓋体と、
前記貫通孔内に折曲自在に収納され、前記蓋体から遠ざかる方向に突出して、内部に前記荷物を受け入れる収納体とを備え、
前記収納体は、背面部、右側面部、左側面部、上面部、底面部、第２の枠体を有し、
前記右側面部は、前記第１の枠体に回動自在に接続され、
前記左側面部は、前記第１の枠体に回動自在に接続され、
前記上面部は、前記第１の枠体に回動自在に接続され、
前記底面部は、前記第１の枠体に回動自在に接続され、
前記第１の枠体に接続されていない前記右側面部の端部に前記第２の枠体が接続され、
前記第１の枠体に接続されていない前記左側面部の端部に前記第２の枠体が接続され、
前記背面部は、前記第２の枠体に回動自在に接続され、
前記右側面部は、折曲自在であり、
前記左側面部は、折曲自在であり、
前記背面部は、前記第２の枠体の開口部を開閉するものであり、
前記収納体の収納時、前記収納体は、前記蓋体から前記貫通孔を見て、前方上方に前記上面部、前記上面部の下方に前記底面部、前記上面部及び前記底面部の後方に折曲した前記右側面部及び前記左側面部、折曲した前記右側面部及び前記左側面部の後方に前記第２の枠体、前記第２の枠体の後方に前記背面部が位置するように収納され、
前記右側面部は、第１の右側面部と第２の右側面部とを有し、
前記第１の右側面部と前記第２の右側面部とは第１の蝶番によって接続され、
前記左側面部は、第１の左側面部と第２の左側面部とを有し、
前記第１の左側面部と前記第２の左側面部とは第２の蝶番によって接続され、
前記第１の右側面部と前記第１の枠体とは第３の蝶番によって接続され、
前記第１の左側面部と前記第１の枠体とは第４の蝶番によって接続され、
前記第２の右側面部と前記第２の枠体とは第５の蝶番によって接続され、
前記第２の左側面部と前記第２の枠体とは第６の蝶番によって接続され、
バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つに設けられるかであり、
前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、
前記荷物の受け入れ時、前記上面部及び/又は前記底面部を回動させて、前記右側面部及び/又は前記左側面部を前記バネ付蝶番の付勢力を利用して押し広げて、前記収納体が展開する
ことを特徴とする荷物受入装置。
【請求項５】
壁又はドア又はドアの袖付き枠又は引き戸又は門扉又は前記門扉近傍に設置された壁体である本体と、
この本体を貫通し、荷物を入れる貫通孔と、
前記本体に取付けられる第１の枠体に回動自在に接続され、前記貫通孔を開閉する蓋体と、
前記貫通孔内に折曲自在に収納され、前記蓋体から遠ざかる方向に突出して、内部に前記荷物を受け入れる収納体とを備え、
前記収納体は、背面部、右側面部、左側面部、底面部、第２の枠体を有し、上面部は、前記右側面部、前記左側面部、前記底面部で囲まれた上方空間を覆うものであり、
前記右側面部は、前記第１の枠体に回動自在に接続され、
前記左側面部は、前記第１の枠体に回動自在に接続され、
前記上面部は、前記本体に回動自在に接続され、
前記底面部は、前記第１の枠体に回動自在に接続され、
前記第１の枠体に接続されていない前記右側面部の端部に前記第２の枠体が接続され、
前記第１の枠体に接続されていない前記左側面部の端部に前記第２の枠体が接続され、
前記背面部は、前記第２の枠体に回動自在に接続され、
前記右側面部は、折曲自在であり、
前記左側面部は、折曲自在であり、
前記背面部は、前記第２の枠体の開口部を開閉するものであり、
前記収納体の収納時、前記収納体は、前記蓋体から前記貫通孔を見て、前方下方に前記底面部、前記底面部の後方に折曲した前記右側面部及び前記左側面部、折曲した前記右側面部及び前記左側面部の後方に前記第２の枠体、前記第２の枠体の後方に前記背面部、前記背面部の後方に前記上面部が位置するように収納され、
前記収納体の収納時、前記上面部は垂下した状態にあり、
前記右側面部は、第１の右側面部と第２の右側面部とを有し、
前記第１の右側面部と前記第２の右側面部とは第１の蝶番によって接続され、
前記左側面部は、第１の左側面部と第２の左側面部とを有し、
前記第１の左側面部と前記第２の左側面部とは第２の蝶番によって接続され、
前記第１の右側面部と前記第１の枠体とは第３の蝶番によって接続され、
前記第１の左側面部と前記第１の枠体とは第４の蝶番によって接続され、
前記第２の右側面部と前記第２の枠体とは第５の蝶番によって接続され、
前記第２の左側面部と前記第２の枠体とは第６の蝶番によって接続され、
バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つに設けられるかであり、
収納体の貫通孔内への収納時、前記右側面部及び前記左側面部が折れ曲がり、前記蓋体から見て、前記貫通孔側に回動した前記底面部の後方に折れ曲がった前記右側面部及び前記左側面部が位置し、
前記荷物の受け入れ時、前記貫通孔内に折り畳まれた前記収納体を前記蓋体から遠ざかる方向に突出する際、前記上面部と前記第２の枠体の接触により前記上面部が上方に回動すると共に、前記上面部及び/又は前記底面部を回動させて、前記右側面部及び/又は前記左側面部を前記バネ付蝶番の付勢力を利用して押し広げて、前記収納体が展開する
ことを特徴とする荷物受入装置。
【請求項６】
壁又はドア又はドアの袖付き枠又は引き戸又は門扉又は前記門扉近傍に設置された壁体である本体と、
この本体を貫通し、荷物を入れる貫通孔と、
前記本体に取付けられる第１の枠体に回動自在に接続され、前記貫通孔を開閉する蓋体と、
前記貫通孔内に折曲自在に収納され、前記蓋体から遠ざかる方向に突出して、内部に前記荷物を受け入れる収納体とを備え、
前記収納体は、背面部、右側面部、左側面部、上面部、底面部、第２の枠体を有し、
前記右側面部は、前記第１の枠体に回動自在に接続され、
前記左側面部は、前記第１の枠体に回動自在に接続され、
前記上面部は、前記第１の枠体に回動自在に接続され、
前記底面部は、折曲自在な分割片で構成されておらず、一部材で同じ方向に回動すると共に、前記第１の枠体に対してのみ回動自在に接続され、
前記第２の枠体に設けられ、水平方向の前記底面部を支持する底面支持部材を備え、
前記第１の枠体に接続されていない前記右側面部の端部に前記第２の枠体が接続され、
前記第１の枠体に接続されていない前記左側面部の端部に前記第２の枠体が接続され、
前記背面部は、前記第２の枠体に回動自在に接続され、
前記右側面部は、折曲自在であり、
前記左側面部は、折曲自在であり、
前記背面部は、前記第２の枠体の開口部を開閉するものであり、
前記収納体の収納時、前記収納体は、前記蓋体から前記貫通孔を見て、前方上方に前記上面部、前記上面部の下方に前記底面部、前記上面部及び前記底面部の後方に折曲した前記右側面部及び前記左側面部、折曲した前記右側面部及び前記左側面部の後方に前記第２の枠体、前記第２の枠体の後方に前記背面部が位置するように収納され、
前記右側面部は、第１の右側面部と第２の右側面部とを有し、
前記第１の右側面部と前記第２の右側面部とは第１の蝶番によって接続され、
前記左側面部は、第１の左側面部と第２の左側面部とを有し、
前記第１の左側面部と前記第２の左側面部とは第２の蝶番によって接続され、
前記第１の右側面部と前記第１の枠体とは第３の蝶番によって接続され、
前記第１の左側面部と前記第１の枠体とは第４の蝶番によって接続され、
前記第２の右側面部と前記第２の枠体とは第５の蝶番によって接続され、
前記第２の左側面部と前記第２の枠体とは第６の蝶番によって接続され、
前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、
立設状態の前記底面部と立設状態の前記上面部との間の前記背面部に手又は、工具が入る隙間が設けられ、
前記荷物の受け入れ時、前記上面部及び/又は前記底面部を回動させて、前記右側面部及び/又は前記左側面部を押し広げて、前記収納体が展開する
ことを特徴とする荷物受入装置。
【請求項７】
壁又はドア又はドアの袖付き枠又は引き戸又は門扉又は前記門扉近傍に設置された壁体である本体と、
この本体を貫通し、荷物を入れる貫通孔と、
前記本体に取付けられる第１の枠体に回動自在に接続され、前記貫通孔を開閉する蓋体と、
前記貫通孔内に折曲自在に収納され、前記蓋体から遠ざかる方向に突出して、内部に前記荷物を受け入れる収納体とを備え、
前記収納体は、背面部、右側面部、左側面部、底面部、第２の枠体を有し、上面部は、前記右側面部、前記左側面部、前記底面部で囲まれた上方空間を覆うものであり、
前記右側面部は、前記第１の枠体に回動自在に接続され、
前記左側面部は、前記第１の枠体に回動自在に接続され、
前記上面部は、前記本体に回動自在に接続され、
前記底面部は、折曲自在な分割片で構成されておらず、一部材で同じ方向に回動すると共に、前記第１の枠体に対してのみ回動自在に接続され、
前記第２の枠体に設けられ、水平方向の前記底面部を支持する底面支持部材を備え、
前記第１の枠体に接続されていない前記右側面部の端部に前記第２の枠体が接続され、
前記第１の枠体に接続されていない前記左側面部の端部に前記第２の枠体が接続され、
前記背面部は、前記第２の枠体に回動自在に接続され、
前記右側面部は、折曲自在であり、
前記左側面部は、折曲自在であり、
前記背面部は、前記第２の枠体の開口部を開閉するものであり、
前記収納体の収納時、前記収納体は、前記蓋体から前記貫通孔を見て、前方下方に前記底面部、前記底面部の後方に折曲した前記右側面部及び前記左側面部、折曲した前記右側面部及び前記左側面部の後方に前記第２の枠体、前記第２の枠体の後方に前記背面部、前記背面部の後方に前記上面部が位置するように収納され、
前記収納体の前記貫通孔内への収納時、前記上面部は垂下した状態にあり、
前記右側面部は、第１の右側面部と第２の右側面部とを有し、
前記第１の右側面部と前記第２の右側面部とは第１の蝶番によって接続され、
前記左側面部は、第１の左側面部と第２の左側面部とを有し、
前記第１の左側面部と前記第２の左側面部とは第２の蝶番によって接続され、
前記第１の右側面部と前記第１の枠体とは第３の蝶番によって接続され、
前記第１の左側面部と前記第１の枠体とは第４の蝶番によって接続され、
前記第２の右側面部と前記第２の枠体とは第５の蝶番によって接続され、
前記第２の左側面部と前記第２の枠体とは第６の蝶番によって接続され、
収納体の貫通孔内への収納時、前記右側面部及び前記左側面部が折れ曲がり、前記蓋体から見て、前記貫通孔側に回動した前記底面部と前記上面部との間に折れ曲がった前記右側面部及び前記左側面部が位置し、立設状態の前記底面部の真上に前記上面部が位置せず開放され、
前記荷物の受け入れ時、前記貫通孔内に折り畳まれた前記収納体を前記蓋体から遠ざかる方向に突出する際、前記上面部と前記第２の枠体の接触により前記上面部が上方に回動すると共に、前記上面部及び/又は前記底面部を回動させて、前記右側面部及び/又は前記左側面部を押し広げて、前記収納体が展開する
ことを特徴とする荷物受入装置。
【請求項８】
立設状態の底面部と立設状態の上面部との間に手又は、工具が入る隙間が設けられている
ことを特徴とする請求項４又は請求項６記載の荷物受入装置。
【請求項９】
第２の枠体に設けられ、水平方向の底面部を支持する底面支持部材を備えている
ことを特徴とする請求項４又は請求項５に記載の荷物受入装置。
【請求項１０】
底面部と上面部を立設して収納体を折り畳んだ収納状態と立設した前記底面部と立設した前記上面部を水平方向にして前記収納体を展開させる展開状態を有し、
前記収納体を折り畳んだ収納状態を保持する保持手段とを備えている
ことを特徴とする請求項８記載の荷物受入装置。
【発明の詳細な説明】
【技術分野】
【０００１】
本発明は、荷物受入装置、荷物の受け入れ取り出し方法及び荷物の受け入れ方法に係り、特に、使用勝手を向上させた荷物受入装置、荷物の受け入れ取り出し方法及び荷物の受け入れ方法に関する。
【背景技術】
【０００２】
従来、不在時であっても送られて来た荷物を安全に保管できる荷物保管機能付きの出
入口開閉戸がある（例えば、特許文献参照）。
これは、ドアや引き戸等の出入口開閉戸（１０）に、荷物（Ｃ）を出し入れ可能な荷
物用開口部（１６）が設けられ、かつ、荷物用開口部（１６）を建物外から開閉するため
の扉部材（２５）と、この扉部材（２５）を閉状態で施錠するための、正当な受取人のみ
が建物外から解錠可能な施錠装置（３０）と、他人が荷物用開口部（１６）から建物内部
に侵入するのを阻止すべく、荷物用開口部（１６）及び入れ置かれた荷物（Ｃ）を閉鎖包
囲するように出入口開閉戸（１０）に取り付けられる箱状ないし袋状でジャバラ状の閉鎖
カバー部材（５０）と、荷物置台（４０）とを備えた宅配ロッカー（２０）が付設されて
なるものである。
【先行技術文献】
【特許文献】
【０００３】
【特許文献１】特開平10-276893号公報
【発明の概要】
【発明が解決しようとする課題】
【０００４】
ところが、上記ジャバラ状の閉鎖カバー部材（５０）にあっては、特許文献図１（Ｂ
）に示すように、ジャバラ状の閉鎖カバー部材（５０）が室内側に出っ張り使用しづらい
問題点があった。
この問題点を除去すべく図１６記載の荷物置台（４０’）、袋状の閉鎖カバー部材（
５５）を設けたが、二部材で、しかも、閉鎖カバー部材（５５）が細長い袋状であるため
、収納しづらく使用勝手が良好でないという問題点があった。
【０００５】
本発明は、上記問題点を除去するようにした荷物受入装置、荷物の受け入れ取り出し方法及び荷物の受け入れ方法を提供することを目的とする。
【課題を解決するための手段】
【０００６】
請求項１記載の荷物の受け入れ取り出し方法は、壁又はドア又はドアの袖付き枠又は引き戸である本体と、この本体を貫通し、荷物を入れる貫通孔と、 前記本体又は枠体に回動自在に接続され、前記貫通孔を開閉する外側蓋体と、前記貫通孔内に折曲自在に収納され、室内側へ突出して、内部に前記荷物を受け入れる収納体とを備え、前記収納体は、前記枠体、背面部、右側面部、左側面部、上面部、底面部を有し、前記右側面部は、前記枠体と前記背面部に回動自在に接続され、前記左側面部は、前記枠体と前記背面部に回動自在に接続され、前記上面部は、前記枠体に回動自在に接続され、前記底面部は、前記枠体に回動自在に接続され、前記右側面部は、折曲自在であり、前記左側面部は、折曲自在であり、前記収納体の前記貫通孔内への収納時、前記収納体は、折り畳まれて前記貫通孔内に収納され、前記荷物を受け入れ時、前記貫通孔内に折り畳まれた前記収納体を、室内側へ突出するように展開させて、前記収納体内に前記荷物を受け入れ、受け入れ後、前記外側蓋体を閉め、前記展開の状態は、室外側から前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、前記収納体内の前記荷物の排出時、前記外側蓋体を開け、前記収納体内に受け入れ前記荷物を取り出すものであり、一方の端部は前記底面部に接続され、中途は前記枠体と前記上面部との間を通り、他方の端部は、前記背面部の貫通孔を介して前記背面部の外側に位置させた紐状部材を有し、前記紐状部材の一方の端部は、前記荷物の受け入れ開口部より、前記背面部に近い側の前記底面部の部位に接続されており、
前記収納体内に前記荷物が収納された状態にあって、前記紐状部材の中途は室外側から見て前記荷物の背面に位置し、前記背面部の外側に位置した前記紐状部材を引っ張って、前記底面部を前記開口部に向かって回動させて、前記紐状部材及び前記底面部により前記荷物を前記開口部側へ移動させるものである。
【０００７】
また、請求項２記載の荷物の受け入れ取り出し方法は、壁又はドア又はドアの袖付き枠又は引き戸である本体と、この本体を貫通し、荷物を入れる貫通孔と、前記本体に回動自在に接続され、前記貫通孔を開閉する外側蓋体と、前記貫通孔内に折曲自在に収納され、室内側へ突出して、内部に前記荷物を受け入れる収納体とを備え、前記収納体は、枠体、背面部、右側面部、左側面部、上面部、底面部を有し、前記右側面部は、前記枠体と前記背面部に回動自在に接続され、前記左側面部は、前記枠体と前記背面部に回動自在に接続され、前記上面部は、前記枠体に回動自在に接続され、前記底面部は、前記枠体に回動自在に接続され、前記右側面部は、折曲自在であり、前記左側面部は、折曲自在であり、前記収納体の前記貫通孔内への収納時、前記収納体は、折り畳まれて前記貫通孔内に収納され、前記荷物を受け入れ時、前記貫通孔内に折り畳まれた前記収納体を、室内側へ突出するように展開させて、前記収納体内に前記荷物を受け入れ、受け入れ後、前記外側蓋体を閉め、前記展開の状態は、室外側から前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、前記収納体内の前記荷物の排出時、前記外側蓋体を開け、前記収納体内に受け入れた前記荷物を取り出すものであり、前記右側面部は、第１の右側面部と第２の右側面部とを有し、前記第１の右側面部と前記第２の右側面部とは第１のバネ付蝶番によって接続され、前記左側面部は、第１の左側面部と第２の左側面部とを有し、前記第１の左側面部と前記第２の左側面部とは第２のバネ付蝶番によって接続され、前記収納体の貫通孔内への収納時、前記第１のバネ付蝶番及び前記第２のバネ付蝶番の付勢力に抗して、前記右側面部及び前記左側面部が折れ曲がり、室外側から見て、前記貫通孔側に回動した前記上面部及び前記底面部の後方に折れ曲がった前記右側面部及び前記左側面部が位置し、前記荷物の受け入れ時、前記上面部及び/又は前記底面部を回動させて、前記右側面部及び/又は前記左側面部を押し広げて、前記収納体が展開するものである。
【０００８】
また、請求項３記載の荷物の受け入れ方法は、壁又はドア又はドアの袖付き枠又は引き戸又は門扉又は前記門扉近傍に設置された壁体である本体と、この本体を貫通し、荷物を入れる貫通孔と、前記本体に取付けられる枠体に回動自在に接続され、前記貫通孔を開閉する蓋体と、前記貫通孔内に折曲自在に収納され、前記蓋体から遠ざかる方向に突出して、内部に前記荷物を受け入れる収納体とを備え、前記収納体は、背面部、右側面部、左側面部、上面部、底面部を有し、前記右側面部は、前記枠体と前記背面部に回動自在に接続され、前記左側面部は、前記枠体と前記背面部に回動自在に接続され、前記上面部は、前記枠体に回動自在に接続され、前記底面部は、前記枠体に回動自在に接続され、前記右側面部は、折曲自在であり、前記左側面部は、折曲自在であり、前記収納体の前記貫通孔内への収納時、前記収納体は、折り畳まれて前記貫通孔内に収納され、前記荷物を受け入れ時、前記蓋体を開け、前記貫通孔内に折り畳まれた前記収納体を、前記蓋体から遠ざかる方向へ突出するように展開させて、前記収納体内に前記荷物を受け入れ、受け入れ後、前記蓋体を閉め、前記展開の状態は、前記蓋体を開けた前記貫通孔を見て、前方に前記背面部、この背面部の前下方に前記底面部、前記背面部の前上方であって前記底面部に対向する前記上面部、前記背面部の前右に前記右側面部、前記背面部の前左であって前記右側面部に対向する前記左側面部であり、前記右側面部は、第１の右側面部と第２の右側面部とを有し、前記第１の右側面部と前記第２の右側面部とは第１の蝶番によって接続され、前記左側面部は、第１の左側面部と第２の左側面部とを有し、前記第１の左側面部と前記第２の左側面部とは第２の蝶番によって接続され、前記右側面部と前記枠体とは第３の蝶番によって接続され、前記左側面部と前記枠体とは第４の蝶番によって接続され、前記右側面部と前記背面部とは第５の蝶番によって接続され、前記左側面部と前記背面部とは第６の蝶番によって接続され、バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つであり、前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、前記荷物の受け入れ時又は、前記荷物を前記背面部に向かって押し込み時、前記上面部及び/又は前記底面部を回動させて、前記右側面部及び/又は前記左側面部を前記バネ付蝶番の付勢力に利用して押し広げて、前記収納体が展開するものである。
【０００９】
また、請求項４記載の荷物受入装置は、壁又はドア又はドアの袖付き枠又は引き戸又は門扉又は前記門扉近傍に設置された壁体である本体と、この本体を貫通し、荷物を入れる貫通孔と、前記本体に取付けられる第１の枠体に回動自在に接続され、前記貫通孔を開閉する蓋体と、前記貫通孔内に折曲自在に収納され、前記蓋体から遠ざかる方向に突出して、内部に前記荷物を受け入れる収納体とを備え、前記収納体は、背面部、右側面部、左側面部、上面部、底面部、第２の枠体を有し、前記右側面部は、前記第１の枠体に回動自在に接続され、前記左側面部は、前記第１の枠体に回動自在に接続され、前記上面部は、前記第１の枠体に回動自在に接続され、前記底面部は、前記第１の枠体に回動自在に接続され、前記第１の枠体に接続されていない前記右側面部の端部に前記第２の枠体が接続され、前記第１の枠体に接続されていない前記左側面部の端部に前記第２の枠体が接続され、前記背面部は、前記第２の枠体に回動自在に接続され、前記右側面部は、折曲自在であり、前記左側面部は、折曲自在であり、前記背面部は、前記第２の枠体の開口部を開閉するものであり、前記収納体の収納時、前記収納体は、前記蓋体から前記貫通孔を見て、前方上方に前記上面部、前記上面部の下方に前記底面部、前記上面部及び前記底面部の後方に折曲した前記右側面部及び前記左側面部、折曲した前記右側面部及び前記左側面部の後方に前記第２の枠体、前記第２の枠体の後方に前記背面部が位置するように収納され、前記右側面部は、第１の右側面部と第２の右側面部とを有し、前記第１の右側面部と前記第２の右側面部とは第１の蝶番によって接続され、前記左側面部は、第１の左側面部と第２の左側面部とを有し、前記第１の左側面部と前記第２の左側面部とは第２の蝶番によって接続され、前記第１の右側面部と前記第１の枠体とは第３の蝶番によって接続され、前記第１の左側面部と前記第１の枠体とは第４の蝶番によって接続され、前記第２の右側面部と前記第２の枠体とは第５の蝶番によって接続され、前記第２の左側面部と前記第２の枠体とは第６の蝶番によって接続され、バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つに設けられるかであり、
前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、前記荷物の受け入れ時、前記上面部及び/又は前記底面部を回動させて、前記右側面部及び/又は前記左側面部を前記バネ付蝶番の付勢力を利用して押し広げて、前記収納体が展開するものである。
【００１０】
また、請求項５記載の荷物受入装置は、壁又はドア又はドアの袖付き枠又は引き戸又は門扉又は前記門扉近傍に設置された壁体である本体と、この本体を貫通し、荷物を入れる貫通孔と、前記本体に取付けられる第１の枠体に回動自在に接続され、前記貫通孔を開閉する蓋体と、前記貫通孔内に折曲自在に収納され、前記蓋体から遠ざかる方向に突出して、内部に前記荷物を受け入れる収納体とを備え、前記収納体は、背面部、右側面部、左側面部、底面部、第２の枠体を有し、上面部は、前記右側面部、前記左側面部、前記底面部で囲まれた上方空間を覆うものであり、前記右側面部は、前記第１の枠体に回動自在に接続され、前記左側面部は、前記第１の枠体に回動自在に接続され、前記上面部は、前記本体に回動自在に接続され、前記底面部は、前記第１の枠体に回動自在に接続され、前記第１の枠体に接続されていない前記右側面部の端部に前記第２の枠体が接続され、前記第１の枠体に接続されていない前記左側面部の端部に前記第２の枠体が接続され、前記背面部は、前記第２の枠体に回動自在に接続され、前記右側面部は、折曲自在であり、前記左側面部は、折曲自在であり、前記背面部は、前記第２の枠体の開口部を開閉するものであり、前記収納体の収納時、前記収納体は、前記蓋体から前記貫通孔を見て、前方下方に前記底面部、前記底面部の後方に折曲した前記右側面部及び前記左側面部、折曲した前記右側面部及び前記左側面部の後方に前記第２の枠体、前記第２の枠体の後方に前記背面部、前記背面部の後方に前記上面部が位置するように収納され、前記収納体の収納時、前記上面部は垂下した状態にあり、前記右側面部は、第１の右側面部と第２の右側面部とを有し、前記第１の右側面部と前記第２の右側面部とは第１の蝶番によって接続され、前記左側面部は、第１の左側面部と第２の左側面部とを有し、前記第１の左側面部と前記第２の左側面部とは第２の蝶番によって接続され、前記第１の右側面部と前記第１の枠体とは第３の蝶番によって接続され、前記第１の左側面部と前記第１の枠体とは第４の蝶番によって接続され、前記第２の右側面部と前記第２の枠体とは第５の蝶番によって接続され、前記第２の左側面部と前記第２の枠体とは第６の蝶番によって接続され、バネ付蝶番が、少なくとも、前記第１の蝶番、前記第３の蝶番、前記第５の蝶番の内の何れか一つと、前記第２の蝶番、前記第４の蝶番、前記第６の蝶番の内の何れか一つに設けられるかであり、収納体の貫通孔内への収納時、前記右側面部及び前記左側面部が折れ曲がり、前記蓋体から見て、前記貫通孔側に回動した前記底面部の後方に折れ曲がった前記右側面部及び前記左側面部が位置し、前記荷物の受け入れ時、前記貫通孔内に折り畳まれた前記収納体を前記蓋体から遠ざかる方向に突出する際、前記上面部と前記第２の枠体の接触により前記上面部が上方に回動すると共に、前記上面部及び/又は前記底面部を回動させて、前記右側面部及び/又は前記左側面部を前記バネ付蝶番の付勢力を利用して押し広げて、前記収納体が展開するものである。
【００１１】
また、請求項６記載荷物受入装置は、壁又はドア又はドアの袖付き枠又は引き戸又は門扉又は前記門扉近傍に設置された壁体である本体と、この本体を貫通し、荷物を入れる貫通孔と、前記本体に取付けられる第１の枠体に回動自在に接続され、前記貫通孔を開閉する蓋体と、前記貫通孔内に折曲自在に収納され、前記蓋体から遠ざかる方向に突出して、内部に前記荷物を受け入れる収納体とを備え、前記収納体は、背面部、右側面部、左側面部、上面部、底面部、第２の枠体を有し、前記右側面部は、前記第１の枠体に回動自在に接続され、前記左側面部は、前記第１の枠体に回動自在に接続され、前記上面部は、前記第１の枠体に回動自在に接続され、前記底面部は、折曲自在な分割片で構成されておらず、一部材で同じ方向に回動すると共に、前記第１の枠体に対してのみ回動自在に接続され、前記第２の枠体に設けられ、水平方向の前記底面部を支持する底面支持部材を備え、前記第１の枠体に接続されていない前記右側面部の端部に前記第２の枠体が接続され、前記第１の枠体に接続されていない前記左側面部の端部に前記第２の枠体が接続され、前記背面部は、前記第２の枠体に回動自在に接続され、前記右側面部は、折曲自在であり、前記左側面部は、折曲自在であり、前記背面部は、前記第２の枠体の開口部を開閉するものであり、前記収納体の収納時、前記収納体は、前記蓋体から前記貫通孔を見て、前方上方に前記上面部、前記上面部の下方に前記底面部、前記上面部及び前記底面部の後方に折曲した前記右側面部及び前記左側面部、折曲した前記右側面部及び前記左側面部の後方に前記第２の枠体、前記第２の枠体の後方に前記背面部が位置するように収納され、前記右側面部は、第１の右側面部と第２の右側面部とを有し、前記第１の右側面部と前記第２の右側面部とは第１の蝶番によって接続され、前記左側面部は、第１の左側面部と第２の左側面部とを有し、前記第１の左側面部と前記第２の左側面部とは第２の蝶番によって接続され、 前記第１の右側面部と前記第１の枠体とは第３の蝶番によって接続され、前記第１の左側面部と前記第１の枠体とは第４の蝶番によって接続され、前記第２の右側面部と前記第２の枠体とは第５の蝶番によって接続され、前記第２の左側面部と前記第２の枠体とは第６の蝶番によって接続され、前記収納体の貫通孔内への収納時、前記右側面部及び前記左側面部が折れ曲がり、前記蓋体から見て、前記貫通孔側に回動した前記上面部及び前記底面部の後方に折れ曲がった前記右側面部及び前記左側面部が位置し、立設状態の前記底面部と立設状態の前記上面部との間の前記背面部に手又は、工具が入る隙間が設けられ、前記荷物の受け入れ時、前記上面部及び/又は前記底面部を回動させて、前記右側面部及び/又は前記左側面部を押し広げて、前記収納体が展開するものである。
【００１２】
また、請求項７記載荷物受入装置は、壁又はドア又はドアの袖付き枠又は引き戸又は門扉又は前記門扉近傍に設置された壁体である本体と、この本体を貫通し、荷物を入れる貫通孔と、前記本体に取付けられる第１の枠体に回動自在に接続され、前記貫通孔を開閉する蓋体と、前記貫通孔内に折曲自在に収納され、前記蓋体から遠ざかる方向に突出して、内部に前記荷物を受け入れる収納体とを備え、前記収納体は、背面部、右側面部、左側面部、底面部、第２の枠体を有し、上面部は、前記右側面部、前記左側面部、前記底面部で囲まれた上方空間を覆うものであり、前記右側面部は、前記第１の枠体に回動自在に接続され、前記左側面部は、前記第１の枠体に回動自在に接続され、前記上面部は、前記本体に回動自在に接続され、前記底面部は、折曲自在な分割片で構成されておらず、一部材で同じ方向に回動すると共に、前記第１の枠体に対してのみ回動自在に接続され、前記第２の枠体に設けられ、水平方向の前記底面部を支持する底面支持部材を備え、前記第１の枠体に接続されていない前記右側面部の端部に前記第２の枠体が接続され、前記第１の枠体に接続されていない前記左側面部の端部に前記第２の枠体が接続され、前記背面部は、前記第２の枠体に回動自在に接続され、前記右側面部は、折曲自在であり、前記左側面部は、折曲自在であり、前記背面部は、前記第２の枠体の開口部を開閉するものであり、前記収納体の収納時、前記収納体は、前記蓋体から前記貫通孔を見て、前方下方に前記底面部、前記底面部の後方に折曲した前記右側面部及び前記左側面部、折曲した前記右側面部及び前記左側面部の後方に前記第２の枠体、前記第２の枠体の後方に前記背面部、前記背面部の後方に前記上面部が位置するように収納され、前記収納体の前記貫通孔内への収納時、前記上面部は垂下した状態にあり、前記右側面部は、第１の右側面部と第２の右側面部とを有し、前記第１の右側面部と前記第２の右側面部とは第１の蝶番によって接続され、前記左側面部は、第１の左側面部と第２の左側面部とを有し、前記第１の左側面部と前記第２の左側面部とは第２の蝶番によって接続され、前記第１の右側面部と前記第１の枠体とは第３の蝶番によって接続され、前記第１の左側面部と前記第１の枠体とは第４の蝶番によって接続され、前記第２の右側面部と前記第２の枠体とは第５の蝶番によって接続され、前記第２の左側面部と前記第２の枠体とは第６の蝶番によって接続され、収納体の貫通孔内への収納時、前記右側面部及び前記左側面部が折れ曲がり、前記蓋体から見て、前記貫通孔側に回動した前記底面部と前記上面部との間に折れ曲がった前記右側面部及び前記左側面部が位置し、立設状態の前記底面部の真上に前記上面部が位置せず開放され、前記荷物の受け入れ時、前記貫通孔内に折り畳まれた前記収納体を前記蓋体から遠ざかる方向に突出する際、前記上面部と前記第２の枠体の接触により前記上面部が上方に回動すると共に、前記上面部及び/又は前記底面部を回動させて、前記右側面部及び/又は前記左側面部を押し広げて、前記収納体が展開するものである。
【００１３】
また、請求項８記載の荷物受入装置は、請求項４又は請求項６記載の荷物受入装置において、立設状態の底面部と立設状態の上面部との間に手又は、工具が入る隙間が設けられているものである。
【００１４】
また、請求項９記載の荷物受入装置は、請求項４又は請求項５に記載の荷物受入装置において、第２の枠体に設けられ、水平方向の底面部を支持する底面支持部材を備えているものである、
【００１５】
また、請求項１０記載の荷物受入装置は、請求項８記載の荷物受入装置において、底面部と上面部を立設して収納体を折り畳んだ収納状態と立設した前記底面部と立設した前記上面部を水平方向にして前記収納体を展開させる展開状態を有し、前記収納体を折り畳んだ収納状態を保持する保持手段とを備えているものである。
【発明の効果】
【００１６】
請求項１記載の荷物の受け入れ取り出し方法によれば、収納体の収納時、前記収納体は、折り畳まれて収納され、荷物を受け入れ時、折り畳まれた前記収納体を、室内側へ突出するように展開させて、つまり、収納体を貫通孔（荷物の受け入れ開口部）、底面部、上面部、右側面部、左側面部、背面部の「六面体状の内部空間」に形成し、この内部空間内に前記荷物を入れ、外側蓋体を締めることができ、在宅者又は帰宅者は、前記外側蓋体を開け、前記収納体内の前記荷物を取り出すことができ、使用勝手を向上させることができ、また、右側面部の中途に第１のバネ付蝶番、左側面部の中途に第２のバネ付蝶番をそれぞれ設けているため、背面部に対して前記右側面部及び前記左側面部が垂直か、又は、前記背面部に対して前記右側面部及び前記左側面部が平行かの二者択一を確実にとることができ、収納体の展開（「六面体状の内部空間」）、非展開（収納体の折り畳み）を容易に行うことができ、使用勝手を向上させることができる。
【００１７】
また、請求項２記載の荷物の受け入れ取り出し方法によれば、収納体の収納時、前記収納体は、折り畳まれて収納され、荷物を受け入れ時、折り畳まれた前記収納体を、室内側へ突出するように展開させて、つまり、収納体を貫通孔（荷物の受け入れ開口部）、底面部、上面部、右側面部、左側面部、背面部の「六面体状の内部空間」を形成し、この内部空間内に前記荷物を入れ、又は、荷物で垂直方向の底面部及び上面部を室内側に押し込んで内部空間内に前記荷物を入れ、外側蓋体を締めることができ、在宅者又は帰宅者は、前記外側蓋体を開け、前記収納体内の前記荷物を取り出すことができ、使用勝手を向上させることができ、また、右側面部の中途に第１のバネ付蝶番、左側面部の中途に第２のバネ付蝶番をそれぞれ設けているため、背面部に対して前記右側面部及び前記左側面部が垂直か、又は、前記背面部に対して前記右側面部及び前記左側面部が平行かの二者択一を確実にとることができ、収納体の展開（「六面体状の内部空間」）、非展開（収納体の折り畳み）を容易に行うことができ、使用勝手を向上させることができる。
【００１８】
また、請求項３記載の荷物の受け入れ方法によれば、収納体の収納時、前記収納体は、折り畳まれて収納され、荷物を受け入れ時、折り畳まれた前記収納体を、蓋体から遠ざかる方向へ突出するように展開させて、つまり、収納体を貫通孔（荷物の受け入れ開口部）、底面部、上面部、右側面部、左側面部、背面部の「六面体状の内部空間」を形成し、この内部空間内に前記荷物を入れ、又は、前記荷物で垂直方向の底面部及び上面部を蓋体から遠ざかる方向に押し込んで内部空間内に前記荷物を入れ、蓋体を締めることができ、使用勝手を向上させることができ、また、右側面部と左側面部にバネ付蝶番を、少なくとも、前記第１の蝶番、前記第３の蝶番、前記第５の蝶番の内の何れか一つと、前記第２の蝶番、前記第４の蝶番、前記第６の蝶番の内の何れか一つとを、それぞれ設けているため、背面部に対して前記右側面部及び前記左側面部が垂直か、又は、前記背面部に対して前記右側面部及び前記左側面部が平行かの二者択一を確実にとることができ、収納体の展開（「六面体状の内部空間」）、非展開（収納体の折り畳み）を容易に行うことができ、使用勝手を向上させることができる。
【００１９】
また、請求項４記載の荷物受入装置によれば、収納体の収納時、前記収納体は、折り畳まれて収納され、荷物を受け入れ時、折り畳まれた前記収納体を、蓋体から遠ざかる方向に突出するように展開させて、つまり、収納体を貫通孔（荷物の受け入れ開口部）、底面部、上面部、右側面部、左側面部、背面部の「六面体状の内部空間」を形成し、この内部空間内に前記荷物を入れ、又は、前記荷物で垂直方向の底面部及び上面部を室内側に押し込んで内部空間内に前記荷物を入れ、蓋体を締めることができ、使用勝手を向上させることができ、また、右側面部にバネ付蝶番、左側面部にバネ付蝶番をそれぞれ設けているため、背面部に対して前記右側面部及び前記左側面部が垂直か、又は、前記背面部に対して前記右側面部及び前記左側面部が平行かの二者択一を確実にとることができ、収納体の展開（「六面体状の内部空間」）、非展開（収納体の折り畳み）を容易に行うことができ、使用勝手を向上させることができ、しかも、第１の枠体に接続されていない前記右側面部の端部に第２の枠体が接続され、前記第１の枠体に接続されていない前記左側面部の端部に第２の枠体が接続され、背面部は、前記第２の枠体の開口部を開閉するものであるため、収納体内の荷物を取り出すことができ、更に、底面部、上面部、右側面部、左側面部、背面部の「六面体状の内部空間」を、第１、第２の枠体により強く保持することができる。
【００２０】
また、請求項５記載の荷物受入装置によれば、収納体の収納時、前記収納体は、折り畳まれて収納され、荷物を受け入れ時、折り畳まれた前記収納体を、蓋体から遠ざかる方向に突出するように展開させて、つまり、収納体を貫通孔（荷物の受け入れ開口部）、底面部、上面部、右側面部、左側面部、背面部の「六面体状の内部空間」を形成し、この内部空間内に前記荷物を入れ、又は、前記荷物で垂直方向の底面部及び上面部を室内側に押し込んで内部空間内に前記荷物を入れ、蓋体を締めることができ、使用勝手を向上させることができ、また、右側面部にバネ付蝶番、左側面部にバネ付蝶番をそれぞれ設けているため、背面部に対して前記右側面部及び前記左側面部が垂直か、又は、前記背面部に対して前記右側面部及び前記左側面部が平行かの二者択一を確実にとることができ、収納体の展開（「六面体状の内部空間」）、非展開（収納体の折り畳み）を容易に行うことができ、使用勝手を向上させることができ、しかも、第１の枠体に接続されていない前記右側面部の端部に第２の枠体が接続され、前記第１の枠体に接続されていない前記左側面部の端部に第２の枠体が接続され、背面部は、前記第２の枠体の開口部を開閉するものであるため、収納体内の荷物を取り出すことができ、更に、底面部、上面部、右側面部、左側面部、背面部の「六面体状の内部空間」を、第１、第２の枠体により強く保持することができる。
【００２１】
また、請求項６記載の荷物受入装置によれば、収納体の収納時、前記収納体は、折り畳まれて収納され、荷物を受け入れ時、折り畳まれた前記収納体を、蓋体から遠ざかる方向に突出するように展開させて、つまり、収納体を貫通孔（荷物の受け入れ開口部）、底面部、上面部、右側面部、左側面部、背面部の「六面体状の内部空間」を形成し、この内部空間内に前記荷物を入れ、又は、前記荷物で垂直方向の底面部及び上面部を蓋体２から遠ざかる方向に押し込んで内部空間内に前記荷物を入れ、蓋体を締めることができ、しかも、第１の枠体に接続されていない前記右側面部の端部に第２の枠体が接続され、前記第１の枠体に接続されていない前記左側面部の端部に第２の枠体が接続され、背面部は、前記第２の枠体の開口部を開閉するものであるため、収納体内の荷物を背面部を開として取り出すことができ、更に、底面部、上面部、右側面部、左側面部、背面部の「六面体状の内部空間」を、第１、第２の枠体により強く保持することができる。
【００２２】
また、請求項７記載の荷物受入装置によれば、収納体の収納時、前記収納体は、折り畳まれて収納され、荷物を受け入れ時、折り畳まれた前記収納体を、蓋体から遠ざかる方向に突出するように展開させて、つまり、収納体を貫通孔（荷物の受け入れ開口部）、底面部、上面部、右側面部、左側面部、背面部の「六面体状の内部空間」に形成し、この内部空間内に前記荷物を入れ、蓋体を締めることができ、しかも、第１の枠体に接続されていない前記右側面部の端部に第２の枠体が接続され、前記第１の枠体に接続されていない前記左側面部の端部に第２の枠体が接続され、背面部は、前記第２の枠体の開口部を開閉するものであるため、収納体内の荷物を取り出すことができ、更に、底面部、上面部、右側面部、左側面部、背面部の「六面体状の内部空間」を、第１、第２の枠体により強く保持することができる。
【００２３】
また、請求項８記載の荷物受入装置によれば、上述した請求項４又は請求項６記載の発明の効果に加え、立設状態の底面部と立設状態の上面部との間の隙間に手又は、工具を用いて、背面部又は折曲した右側面部又は折曲した左側面部を蓋体から遠ざかる方向に押し当てて、収納体を展開することができる。
【００２４】
また、請求項９記載の荷物受入装置によれば、上述した請求項４〜７の記載の発明の効果に加え、背面部に設けられ、水平方向の底面部を支持する底面支持部材９０を備えているため、韓国公開実用新案第２０−２０１５−００００４０７号公報記載のような複雑な底部（２０）ではない簡易な底面支持部材で達成することができる。
【００２５】
また、請求項１０記載の荷物受入装置によれば、立設状態の底面部と立設状態の上面部との間の隙間に手又は、工具を用いて、背面部又は折曲した右側面部又は折曲した左側面部を蓋体から遠ざかる方向に押し当てて、保持手段に抗して収納体を容易に展開することができる。
【図面の簡単な説明】
【００２６】
【図１】図１は、本願発明の一実施例の荷物受入装置を室外から見た概略的正面図である。
【図２】図２は、図１のＡ−Ａ線による概略的断面図である。
【図３】図３は、図２の荷物受入装置の貫通孔内の折り曲げられた収納体が室内側へ突出して荷物が受け入れる状態の概略的断面図である。
【図４】図４は、図２の収納体の概略的斜視図である。
【図５】図５は、図２の収納体が図６の収納体へ移行する中途状態の収納体の概略的斜視図である。
【図６】図６は、図５の収納体が図３の収納体へ移行する中途状態の収納体の概略的斜視図である。
【図７】図７は、図３の収納体の概略的斜視図である。
【図８】図８は、図１の収納体と異なる他の実施例の収納体の概略的斜視図である。
【図９】図９は、図１乃至図８記載の荷物受入装置と異なる実施例の荷物受入装置の外側蓋体を開いた状態を室外から見た概略的正面図である。
【図１０】図１０は、図９の荷物受入装置の上面部、底面部を回動した状態を室外から見た概略的正面図である。
【図１１】図１１は、図９の荷物受入装置の荷物が受け入れる状態の概略的断面図である。
【図１２】図１２は、図１１の荷物受入装置の収納体が折り曲げられた状態の概略的断面図である。
【図１３】図１３は、図１１の荷物受入装置の収納体に荷物がが受け入れられた状態の概略的断面図である。
【図１４】図１４は、図１３の荷物が収納体から排出された状態の概略的断面図である。
【図１５】図１５は、図１３の状態の概略的斜視図である。
【図１６】図１６は、図１４の状態の概略的斜視図である。
【図１７】図１７は、図１６の収納体が折り畳まれる途中の状態の概略的斜視図である。
【図１８】図１８は、図１７の上面部保持手段（山形頂部を有する板バネ）と異なる上面部保持手段を備えた収納体が折り畳まれる途中の状態の概略的斜視図である。
【図１９】図１９は、図９乃至図１７記載の底面部を回動する回動手段と異なる回動手段（底面部に接続されたレバー）を備えた収納体の概略的斜視図である。
【図２０】図２０は、図１９の底面部を回動手段（底面部に接続されたレバー）により底面部を室外側へ回動させた状態の概略的斜視図である。
【図２１】図２１は、図１３の荷物受入装置と異なる荷物受入装置の概略的断面図である。
【図２２】図２２は、図１〜図２１の荷物受入装置が本体に取り付けられる一態様を示す概略的平面図である。
【図２３】図２３は、図２１の荷物受入装置と異なる荷物受入装置の概略的断面図である。
【図２４】図２４は、図２３の荷物受入装置の折り曲げられた収納体の収納状態の概略的断面図である。
【図２５】図２５は、図２４の荷物受入装置の蓋体側から見た概略的斜視図で、収納体の展開前を示している。
【図２６】図２６は、図２５の荷物受入装置の収納体を展開し、荷物を入れようとする状態の概略的斜視図である。
【図２７】図２７は、図２６の荷物受入装置の収納体から荷物を出した状態の概略的斜視図である。
【図２８】図２８は、図２３の荷物受入装置と異なる他の実施例の荷物受入装置の概略的断面図である。
【図２９】図２９は、図２８の荷物受入装置の折り曲げられた収納体の収納状態の概略的断面図である。
【図３０】図３０は、図２９の荷物受入装置の収納体を展開し、荷物を入れようとする状態の概略的斜視図である。
【図３１】図３１は、図３０の荷物受入装置の収納体から荷物を出した状態の概略的斜視図である。
【発明を実施するための形態】
【００２７】
本発明の一実施例の荷物受入装置、荷物の受け入れ取り出し方法及び荷物の受け入れ方法を図面（図１乃至図３１）を参照して説明する。
図１に示すＰは荷物受入装置で、荷物受入装置Ｐは、宅配業者が鍵で施錠手段３を解
除して外側蓋体２を開け、荷物（図示せず）を収納体４内へ入れ、その後、外側蓋体２を
締めて、施錠するため、留守の場合、荷物を安全に依頼先に届けることができるものであ
る。
【００２８】
１は壁又はドア又はドアの袖付き枠又は引き戸である本体で、本体１は、本実施例で
は、回動自在に設置されたドアで、このドア１には、ドア１を貫通し、荷物（図示せず）
を入れる貫通孔１ａ（図２参照）が設けられている。この貫通孔１ａ（図２参照）は、本
体１を貫通し、荷物（図示せず）を入れる部位である。
また、図１に示す２は外側蓋体で、この外側蓋体２は、ドア１の外側に位置する蓋体
で、ドア（本体）１に回動自在に接続され、貫通孔１ａを開閉するものである。外側蓋体
２の開閉は、施錠手段（例えば、電気の力で施錠・解錠を行う電子錠、遠隔操作による電
気の力で施錠・解錠を行う電子錠、金属の鍵等）３により行われる。
図２及び図４に示す４は、荷物を受け入れる収納体で、収納体４は、貫通孔１ａ内に
折曲自在に収納され（図２参照）、室内側へ突出して、内部に荷物（図示せず）を受け  
入れるものである（図３参照）。
また、図２に示すように、外側蓋体２の表面は、ドア（本体１）１の表面１Ａより突
出せず、また、貫通孔１ａ内に収納された収納体４の裏面４０は、ドア（本体１）１の裏
面１Ｂより突出しないようになっている。そのため、収納体４の未使用時、ドア（本体１
）１の厚みにより室内の面積がせまくならないようになっている。
【００２９】
荷物（図示せず）を受け入れ時、貫通孔１ａから折り畳まれた収納体４は、室内側へ
突出し、内部に荷物（図示せず）を受け入れるために、室外側から見て、開口部４Ａ、開
口部４Ａに対向する背面部４Ｂ、上面部４Ｃ、底面部４Ｄ、右側面部４Ｅ、左側面部４Ｆ
を有し、
収納体４の貫通孔１ａ内への収納時、収納体４は、折り畳まれて貫通孔１ａ内に収納
される。
背面部４Ｂ、上面部４Ｃ、底面部４Ｄ、右側面部４Ｅ、左側面部４Ｆは，室内が室外
から見えないように不透明なもので形成されているのが良い。
また、底面部４Ｄと床面８との高さＨは、床面８に載置された履き物（図示せず）の
高さより高くして、底面部４Ｄが履き物（図示せず）に当たらないようにすることができ
る。
【００３０】
従って、例えば、宅配業者が施錠手段３で施錠を解除して外側蓋体２を開け、荷物（
図示せず）を収納体４内へ入れ、荷物（図示せず）が収納体４に収納され、その後、外側
蓋体２を締めて、施錠することができ、荷物（図示せず）を在宅者又は帰宅者が取り出す
ときには、施錠手段３で施錠を解除して外側蓋体２を開け、収納体４内の荷物（図示せず
）を取り出すことができる。
【００３１】
この荷物受入装置（荷物の受け入れ取り出し方法）Ｐによれば、貫通孔１ａ内に折曲
自在に収納され、室内側へ突出して、内部に荷物（図示せず）を受け入れる収納体４を備
えているため、使用勝手が良く、施錠手段３で施錠を解除して外側蓋体２を開け、荷物（
図示せず）を収納体４内へ入れ、荷物（図示せず）が収納体４に収納され、その後、外側
蓋体２を締めて、施錠することができ、在宅者又は帰宅者は、施錠手段３で施錠を解除し
て外側蓋体２を開け、収納体４内の荷物（図示せず）を取り出すことができる。
【００３２】
なお、本実施例にあっては、施錠手段（例えば、電気の力で施錠・解錠を行う電子錠
、遠隔操作による電気の力で施錠・解錠を行う電子錠、金属の鍵等）３を設けたが、本願
発明にあっては、施錠手段（例えば、電気の力で施錠・解錠を行う電子錠、遠隔操作によ
る電気の力で施錠・解錠を行う電子錠、金属の鍵等）３を省略しても良い。［施錠手段３
を省略した場合、外側蓋体２がフリーにならないように、外側蓋体２の不使用時、外側蓋
体２をドア（本体）１に対して図示しない連結・非連結手段を設けて、外側蓋体２が不用
意に開閉しないようにしても良い。］
施錠手段（例えば、電気の力で施錠・解錠を行う電子錠、遠隔操作による電気の力で
施錠・解錠を行う電子錠、金属の鍵等）３を省略した場合の荷物受入装置（荷物の受け入
れ取り出し方法）Ｐによれば、貫通孔１ａ内に折曲自在に収納され、室内側へ突出して、
内部に荷物を受け入れる収納体４を備えているため、使用勝手が良く、外側蓋体２を開け
、荷物を収納体４内へ入れ、前記荷物が収納体４に収納され、その後、外側蓋体２を締め
ることができ、在宅者又は帰宅者は、外側蓋体２を開け、収納体４内の前記荷物を取り出
すことができる。
【００３３】
収納体４を詳述すれば、枠体４Ｇと、背面部４Ｂ、上面部４Ｃ、底面部４Ｄ、右側面
部４Ｅ、左側面部４Ｆを有し、右側面部４Ｅは、枠体４Ｇと背面部４Ｂに接続され、左側
面部４Ｆは、枠体４Ｇと背面部４Ｂに接続され、上面部４Ｃは、枠体４Ｇに接続され、底
面部４Ｄは、枠体４Ｇに接続され、右側面部４Ｅの中途に、枠体４Ｇの開口部４Ａ側に折
れ曲がる右折曲部４Ｅ０を垂直方向に設け、左側面部４Ｆの中途に、枠体４Ｇの開口部４
Ａ側に折れ曲がる左折曲部４Ｆ０を垂直方向に設け、上面部４Ｃは、開口部４Ａ側に折れ
曲がるように設けられ、底面部４Ｄは、開口部４Ａ側に折れ曲がるように設けられ、収納
体４の貫通孔１ａ内への収納時、室外側から見て、開口部４Ａ側に折れ曲がった上面部４
Ｃ及び底面部４Ｄの後方に開口部４Ａ側に折れ曲がった右側面部４Ｅ及び左側面部４Ｆが
位置するようになっている。
図６に示す５は、上面部４Ｃに手の指を掛ける紐（又は手掛け部５’）、６は、底面
部４Ｄに手の指を掛ける紐（又は手掛け部６’）をそれぞれ設けている。
そのため、施錠手段３で施錠を解除して外側蓋体２を開け、荷物（図示せず）を収納
体４内へ入れる際、折り畳まれている収納体４を容易に立体形状の背面部４Ｂ、右側面部
４Ｅ、左側面部４Ｆ、上面部４Ｃ、底面部４Ｄを組み立てることができる。
また、図３に示す７は、収納体４の貫通孔１ａ内への収納時、折れ曲がった収納体４
を保持する保持手段で、保持手段７は、例えば、枠体４Ｇに設けたマグネット７１と、こ
のマグネット７１に吸着するマグネット７２とで構成され、マグネット７２は、背面部４
Ｂに設けられている。
この保持手段７により、本体１がドアの場合、例えば、ドアが閉められた衝撃により
収納体４が室内側に突出することを防止することができる。
【００３４】
上述した実施例においては、右折曲部４Ｅ０、左折曲部４Ｆ０を垂直方向にそれぞれ
設けたが、本願発明にあってはこれに限らず、図８に示すように、水平方向にそれぞれ設
けるようにしても良い。
即ち、収納体４は、枠体４Ｇと、背面部４Ｂ、右側面部４Ｅ’、左側面部４Ｆ’、上
面部４Ｃ’、底面部４Ｄ’を有し、右側面部４Ｅ’は、枠体４Ｇと背面部４Ｂに接続され
、左側面部４Ｆ’は、枠体４Ｇと背面部４Ｂに接続され、上面部４Ｃ’は、枠体４Ｇに接
続され、底面部４Ｄ’は、枠体４Ｇに接続され、上面部４Ｃ’の中途に、枠体４Ｇの開口
部４Ａ側に折れ曲がる上折曲部４Ｃ０’を水平方向に設け、底面部４Ｄ’の中途に、枠体
４Ｇの開口部側に折れ曲がる底折曲部４Ｄ０’を水平方向に設け、右側面部４Ｅ’は、枠
体４Ｇの開口部４Ａ側に折れ曲がるように設けられ、左側面部４Ｆ’は、枠体４Ｇの開口
部４Ａ側に折れ曲がるように設けられ、収納体４の貫通孔１ａ内への収納時、室外側から
開口部４Ａを見て、開口部４Ａ側に折れ曲がった右側面部４Ｅ’及び左側面部４Ｆ’の後
方に開口部４Ａ側に折れ曲がった上面部４Ｃ’及び底面部４Ｄ’が位置するようにしても
良い。
【００３５】
次に、図１乃至図８記載の荷物受入装置及び荷物の受け入れ取り出し方法と異なる他
の実施例の荷物受入装置及び荷物の受け入れ取り出し方法について、図９乃至図２１を参
照して説明する。なお、図９乃至図２１記載の実施例については、図１乃至図８記載と同
一部分に同一符号を付して、説明の一部を省略する。
【００３６】
本体１は、図１乃至図８記載と同様、壁又はドア又はドアの袖付き枠又は引き戸であ
る。本体１は、本実施例では、例えば、回動自在に設置されたドアで、このドア１には、
ドア１を貫通し、荷物１００を入れる「荷物の受け入れ開口部」である貫通孔１ａ（図２
参照）が設けられている。この貫通孔１ａ（図１５参照）は、本体１を貫通し、荷物１０
０を入れる部位である。
【００３７】
また、図９に示す２は外側蓋体で、この外側蓋体２は、ドア１の外側に位置する蓋体
で、ドア（本体）１に回動自在に接続され、貫通孔１ａを開閉するものである。外側蓋体
２の開閉は、施錠手段（例えば、電気の力で施錠・解錠を行う電子錠、遠隔操作による電
気の力で施錠・解錠を行う電子錠、金属の鍵等）３により行われる。
【００３８】
また、図１５に示す４は、荷物１００を受け入れる収納体で、収納体４は、貫通孔１
ａ内に折曲自在に収納され（図１２参照）、室内側へ突出して、内部に荷物１００を受け
入れるものである（図１３参照）。
【００３９】
また、上述の図１乃至図８（特に、図２）と同様、外側蓋体２の表面は、ドア（本体
１）１の表面１Ａより突出せず、また、貫通孔１ａ内に収納された収納体４の裏面は、ド
ア（本体１）１の裏面１Ｂより突出しないようになっている。
そのため、収納体４の未使用時、ドア（本体１）１の厚みにより室内の面積がせまく
ならないようになっている。
【００４０】
収納体４は、室外側から見て、枠体４Ｇと、背面部４Ｂ、右側面部４Ｅ、左側面部４
Ｆ、上面部４Ｃ、底面部４Ｄを有し、右側面部４Ｅは、枠体４Ｇと背面部４Ｂに回動自在
に接続（接続は、例えば、蝶番Ｈ５、蝶番Ｈ６、蝶番Ｈ１７、蝶番Ｈ１８）され、左側面
部４Ｆは、枠体４Ｇと背面部４Ｂに回動自在に接続（接続は、例えば、蝶番Ｈ３、蝶番Ｈ
４、蝶番Ｈ１５、蝶番Ｈ１６）され、上面部４Ｃは、枠体４Ｇに回動自在に接続（接続は
、例えば、蝶番Ｈ７、蝶番Ｈ８）され、底面部４Ｄは、枠体４Ｇに回動自在に接続（接続
は、例えば、蝶番Ｈ９、蝶番Ｈ１９、蝶番Ｈ１０）されている。なお、枠体４Ｇは、収納
体４を本体１に取り付けベースとなると共に、収納体４のベースともなるものである。
【００４１】
また、右側面部４Ｅは、例えば、蝶番Ｈ１１、蝶番Ｈ１２により折曲自在であり、左
側面部４Ｆは、例えば、蝶番Ｈ１３、蝶番Ｈ１４により折曲自在である。
【００４２】
収納体４の貫通孔１ａ内への収納時、収納体４は、折り畳まれて貫通孔１ａ内に収納
され（図１２参照）、荷物１００を受け入れ時、貫通孔１ａ内に折り畳まれた収納体４を
、室内側へ突出するように展開させ（図１１参照）て、収納体４内に荷物１００を受け入
れ、受け入れ後、外側蓋体２を閉める。
なお、上記展開の状態は、室外側から貫通孔１ａ（荷物１００の受け入れ開口部）を
見て、前方に背面部４Ｂ、この背面部４Ｂの前下方に底面部４Ｄ、背面部４Ｂの前上方で
あって底面部４Ｄに対向する上面部４Ｃ、背面部４Ｂの前右に右側面部４Ｅ、背面部４Ｂ
の前左であって右側面部４Ｅに対向する左側面部４Ｆである。
そして、収納体４内の荷物１００の排出時は、外側蓋体２を開け、収納体４内に受け
入れた荷物１００を取り出すものである。
【００４３】
上述した荷物の受け入れ取り出し方法(荷物受入装置Ｐ)によれば、収納体４の貫通
孔１ａ内への収納時、収納体４は、折り畳まれて貫通孔１ａ内に収納され、荷物１００を
受け入れ時、貫通孔１ａ内に折り畳まれた収納体４を、室内側へ突出するように展開させ
て、つまり、収納体４を貫通孔１ａ（荷物１００の受け入れ開口部）、底面部４Ｄ、上面
部４Ｃ、右側面部４Ｅ、左側面部４Ｆ、背面部４Ｂの「六面体状の内部空間」に形成し、
この内部空間内に荷物１００を入れ、外側蓋体２を締めることができ、在宅者又は帰宅者
は、外側蓋体２を開け、収納体４内の荷物１００を取り出すことができ、使用勝手を向上
させることができる。
【００４４】
また、紐状部材６”の一方の端部は底面部４Ｄに接続され、紐状部材６”の中途は枠
体４Ｇと上面部４Ｃ（上面部４Ｃの回動側の先端部）との間を通り、紐状部材６”の他方
の端部６１は、背面部４Ｂの貫通孔を介して背面部４Ｂの外側に位置させている（図１１
参照）。なお、上述した紐状部材６”の一方の端部は、荷物１００の受け入れ開口部より
、背面部４Ｂに近い側の底面部４Ｄの部位に接続されている。
収納体４内に荷物１００が収納された状態にあって、紐状部材６”の中途は室外側か
ら見て荷物１００の背面に位置し、背面部４Ｂの外側に位置した紐状部材６”を引っ張っ
て、底面部４Ｄを開口部（荷物１００の受け入れ開口部）に向かって回動させて、紐状部
材６”及び底面部４Ｄにより荷物１００を前記開口部（荷物１００の受け入れ開口部）側
へ移動させることができる（図１３乃至図１６参照）。
そのため、荷物１００の取り出しが容易となり、しかも、荷物１００を取り出した後
、紐状部材６”を引っ張って、底面部４Ｄを回動させて垂直方向に移動させることができ
る。
【００４５】
上述した蝶番Ｈ１１、蝶番Ｈ１２は、通常の蝶番でも良いが、望ましくは、蝶番Ｈ１
１及び/又は蝶番Ｈ１２は、例えば、バネ付蝶番（第１のバネ付蝶番）が良い。
また、上述した蝶番Ｈ１３、蝶番Ｈ１４は、通常の蝶番でも良いが、望ましくは、蝶
番Ｈ１３及び/又は蝶番Ｈ１４は、バネ付蝶番（第２のバネ付蝶番）が良い。
即ち、右側面部４Ｅは、第１の右側面部４Ｅ１と第２の右側面部４Ｅ２とを有し、第
１の右側面部４Ｅ１と第２の右側面部４Ｅ２とは第１のバネ付蝶番によって接続され、左
側面部４Ｆは、第１の左側面部４Ｆ１と第２の左側面部４Ｆ２とを有し、第１の左側面部
４Ｆ１と第２の左側面部４Ｆ２とは第２のバネ付蝶番によって接続されている。
そして、収納体４の貫通孔１ａ内への収納時、前記第１のバネ付蝶番及び前記第２の
バネ付蝶番の付勢力に抗して、右側面部４Ｅ及び左側面部４Ｆが折れ曲がり、室外側から
見て、貫通孔１ａ側に回動した上面部４Ｃ及び底面部４Ｄの後方に折れ曲がった右側面部
４Ｅ及び左側面部４Ｆが位置し、また、荷物１００の受け入れ時、上面部４Ｃ及び/又は
底面部４Ｄを回動させて、右側面部４Ｅ及び/又は左側面部４Ｆを押し広げて、収納体４
が展開するようにする。
この荷物の受け入れ取り出し方法(荷物受入装置)によれば、背面部４Ｂに対して右側
面部４Ｅ及び左側面部４Ｆが垂直か、又は、背面部４Ｂに対して右側面部４Ｅ及び左側面
部４Ｆが平行かの二者択一を確実にとることができ、収納体４の展開（「六面体状の内部
空間」）、非展開（収納体４の折り畳み）を容易に行うことができ、使用勝手を向上させ
ることができる。
【００４６】
また、上述したように、室外側から見て、枠体４Ｇと背面部４Ｂとの間に上面部４Ｃ
及び底面部４Ｄ、上面部４Ｃ及び底面部４Ｄの後方に折れ曲がった右側面部４Ｅ及び左側
面部４Ｆが位置しているが、枠体４Ｇと背面部４Ｂとが保持手段７により保持されている
。
保持手段７は、枠体４Ｇに設けた部材７１が第１の磁石とこの第１の磁石に吸着する
背面部４Ｂに設けた部材７２が第２の磁石、又は、枠体４Ｇに設けた部材７１が第１の磁
石とこの第１の磁石に吸着する背面部４Ｂに設けた部材７２が第１の磁性体、又は、背面
部に設けた部材７２が第２の磁石とこの第２の磁石に吸着する枠体４Ｇに設けた部材７１
が第２の磁性体である。
この荷物の受け入れ取り出し方法(荷物受入装置Ｐ)によれば、保持手段７が設けられ
ているため、収納体４の貫通孔１ａ内への収納状態を保持でき、収納体４が室内側へ突出
するのを防ぐことができる。
【００４７】
また、荷物受入装置Ｐは、水平位置にある底面部４Ｄを垂直方向へ回動する回動手段
Ｋを備えている。回動手段Ｋは、底面部４Ｄに手の指を掛ける手掛け部（例えば、図５記
載の６’）、又は、底面部４Ｄに接続されたレバーＬ（図１９記載のレバーＬを図２０に
示すように、室外側に向かって回動する。）、又は、底面部４Ｄに接続された紐状部材６
”（例えば、図５記載の紐６）である。
この荷物の受け入れ取り出し方法(荷物受入装置Ｐ)によれば、荷物１００を取り出し
た後、回動手段Ｋにより、底面部４Ｄを回動させて垂直方向に移動させて、底面部４Ｄを
貫通孔１ａ内に収納することができる。
【００４８】
また、収納体４を室内側へ突出するように展開させた状態にあって、上面部４Ｃが下
方へ移動しないように上面部４Ｃを保持する上面部保持手段Ｈ’が設けられている。
上面部保持手段Ｈ’は、図１８に示すように、背面部４Ｂに設けた部材７０が第１の
磁石とこの第１の磁石に吸着する上面部４Ｃに設けた部材８０が第２の磁石、又は、背面
部４Ｂに設けた部材７０が第１の磁石とこの第１の磁石に吸着する上面部４Ｃに設けた部
材８０が第１の磁性体、又は、上面部４Ｃに設けた部材８０が第２の磁石とこの第２の磁
石に吸着する背面部４Ｂに設けた部材７０が第２の磁性体、又は、背面部４Ｂに設けた図
示しない山形頂部を有する板バネ（上面部４Ｃの先端面が板バネの山形頂部を乗り越えて
保持し、この保持状態を解除するには、保持前と逆方向に上面部４Ｃを回動させて、板バ
ネの山形頂部を乗り越えさせる。）、又は、上面部４Ｃの先端の端面を背面部４Ｂに当接
させて保持させることができる。
この荷物の受け入れ取り出し方法(荷物受入装置Ｐ)によれば、収納体４を室内側へ突
出するように展開させた状態にあって、上面部保持手段Ｈにより上面部４Ｃが下方へ移動
しないように上面部４Ｃを保持することができる。 
【００４９】
また、図１１に示すように、収納体４を室内側へ突出するように展開させた状態の底
面部４Ｄを支持する底面支持部材９０が背面部４Ｂに設けられている。
この荷物の受け入れ取り出し方法(荷物受入装置Ｐ)によれば、収納体４を室内側へ突
出するように展開させた状態にあって、背面部４Ｂに設けた底面支持部材９０で底面部４
Ｄで支持することができる。
【００５０】
上述した実施例においては、外側蓋体（蓋体）２を本体１に回動自在に接続したが、本願発明においては、これに限らず、外側蓋体（蓋体）２を後述する枠体４Ｇに回動自在に接続するようにしても良い。                                           
【００５１】
また、上述した実施例の本体１は、壁又はドア又はドアの袖付き枠又は引き戸であったが、本願発明にあっては、図１〜図２１の実施例を含めて、これに限らず、図２２に示すように、本体１は、門扉１’又は門扉１’近傍に設置された壁体１”であっても良い。この場合、外側蓋体（蓋体）２は、背面部４Ｂより家屋２００に対して遠い側（外側蓋体（蓋体）２は、図２３、図２４、図２８で言えば、図示の「外側」に位置し、背面部４Ｂは、図２３、図２４、図２８で言えば、図示の「内側」に位置している。）に位置している。
即ち、図１〜図３１記載の本体１は、壁又はドア又はドアの袖付き枠又は引き戸又は門扉１’又は門扉１’近傍に設置された壁体である。
また、本体１が壁又はドア又はドアの袖付き枠又は引き戸の場合、２は外側蓋体であり、本体１が門扉１’又は門扉１’近傍に設置された壁体の場合、２は蓋体であるが、２は、外側蓋体に限らない蓋体である。
【００５２】
また、貫通孔１ａは、本体１を貫通し、荷物１００を入れるものである。図１５に示す蓋体２は、本体１に取付けられる枠体４Ｇに回動自在に接続され、貫通孔１ａを開閉（例えば、貫通孔１ａの一方側の開口部を開閉）するものである。収納体４は、貫通孔１ａ内に折曲自在に収納され、蓋体２から遠ざかる方向に突出して、内部に荷物１００を受け入れるものである。
収納体４は、背面部４Ｂ、右側面部４Ｅ、左側面部４Ｆ、上面部４Ｃ、底面部４Ｄを有している。右側面部４Ｅは、枠体４Ｇと背面部４Ｂに回動自在に接続されている。左側面部４Ｆは、枠体４Ｇと背面部４Ｂに回動自在に接続されている。上面部４Ｃは、枠体４Ｇに回動自在に接続されている。底面部４Ｄは、枠体４Ｇに回動自在に接続されている。右側面部４Ｅは、折曲自在であり、左側面部４Ｆは、折曲自在である。そして、枠体４Ｇを介して収納体４は、本体１に取付けられ（例えば、接着）ている。
【００５３】
収納体４の貫通孔１ａ内への収納時、収納体４は、折り畳まれて貫通孔１ａ内に収納され、荷物１００を受け入れ時、蓋体２を開け、貫通孔１ａ内に折り畳まれた収納体４を、蓋体２から遠ざかる方向へ突出するように展開させて、収納体４内に荷物１００を受け入れ、受け入れ後、蓋体２を閉める。
収納体４の展開の状態は、蓋体２を開けた貫通孔１ａを見て、前方に背面部４Ｂ、この背面部４Ｂの前下方に底面部４Ｄ、背面部４Ｂの前上方であって底面部４Ｄに対向する上面部４Ｃ、背面部４Ｂの前右に右側面部４Ｅ、背面部４Ｂの前左であって右側面部４Ｅに対向する左側面部４Ｆである。
荷物受入装置Ｐは、収納体４の収納時、収納体４は、蓋体２から貫通孔１ａを見て、前方上方に上面部４Ｃ、上面部４Ｃの下方に底面部４Ｄ、上面部４Ｃ及び底面部４Ｄの後方に折曲した右側面部４Ｅ及び左側面部４Ｆ、折曲した右側面部４Ｅ及び左側面部４Ｆの後方に背面部４Ｂが位置するように収納される。そのため、収納体４の厚みをコンパクトにして収納することができる。
また、右側面部４Ｅは、第１の右側面部４Ｅ１と第２の右側面部４Ｅ２とを有し、第１の右側面部４Ｅ１と第２の右側面部４Ｅ２とは第１の蝶番Ｈ１１，Ｈ１２（第１の蝶番Ｈ１１，Ｈ１２は、第１のバネ付蝶番でも良い。）によって接続され、左側面部４Ｆは、第１の左側面部４Ｆ１と第２の左側面部４Ｆ２とを有し、第１の左側面部４Ｆ１と第２の左側面部４Ｆ２とは第２の蝶番Ｈ１３，Ｈ１４（第２の蝶番Ｈ１３，Ｈ１４は、第２のバネ付蝶番でも良い。）によって接続されている。
右側面部４Ｅと枠体４Ｇとは第３の蝶番Ｈ１，Ｈ２（第３の蝶番Ｈ１，Ｈ２は、第３のバネ付蝶番でも良い。）によって接続され、左側面部４Ｆと枠体４Ｇとは第４の蝶番Ｈ３，Ｈ４（第４の蝶番Ｈ３，Ｈ４は、第４のバネ付蝶番でも良い。）によって接続され、右側面部４Ｅと背面部４Ｂとは第５の蝶番Ｈ１７，Ｈ１８（第５の蝶番Ｈ１７，Ｈ１８は、第５のバネ付蝶番でも良い。）によって接続され、左側面部４Ｆと背面部４Ｂとは第６の蝶番Ｈ１５，Ｈ１６（第６の蝶番Ｈ１５，Ｈ１６は、第６のバネ付蝶番でも良い。）によって接続されている。
上述のバネ付蝶番（例えば、図１５）は、少なくとも、第１の蝶番Ｈ１１，Ｈ１２、第３の蝶番Ｈ１，Ｈ２、第５の蝶番Ｈ１７，Ｈ１８の内の何れか一つと、第２の蝶番Ｈ１３，Ｈ１４、第４の蝶番Ｈ３，Ｈ４、第６の蝶番Ｈ１５，Ｈ１６の内の何れか一つであれば良い（場合により、第１の蝶番Ｈ１１，Ｈ１２、第３の蝶番Ｈ１，Ｈ２、第５の蝶番Ｈ１７，Ｈ１８、第２の蝶番Ｈ１３，Ｈ１４、第４の蝶番Ｈ３，Ｈ４、第６の蝶番Ｈ１５，Ｈ１６全てバネ無し蝶番としても良い。）。
図１２（図２、図４）に示すように、収納体４の貫通孔１ａ内への収納時、前記バネ付蝶番の付勢力を利用して、右側面部４Ｅ及び左側面部４Ｆが折れ曲がり、蓋体２から見て、貫通孔１ａ側に回動した上面部４Ｃ及び底面部４Ｄの後方に折れ曲がった右側面部４Ｅ及び左側面部４Ｆが位置し、
図９〜図１１（図５〜図７）に示すように、荷物１００の受け入れ時又は、荷物１００を背面部４Ｂに向かって押し込み時、上面部４Ｃ及び/又は底面部４Ｄを回動させて、右側面部４Ｅ及び/又は左側面部４Ｆを前記バネ付蝶番の付勢力を利用して押し広げて、収納体４が展開する。
【００５４】
上述した荷物の受け入れ方法（荷物受入装置Ｐ）によれば、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向へ突出するように展開させて、つまり、収納体４を貫通孔１ａ（荷物１００の受け入れ開口部）、底面部４Ｄ、上面部４Ｃ、右側面部４Ｅ、左側面部４Ｆ、背面部４Ｄの「六面体状の内部空間」を形成し、この内部空間内に荷物１００を入れ、又は、荷物１００で垂直方向の底面部４Ｄ及び上面部４Ｃを蓋体２から遠ざかる方向に押し込んで内部空間内に荷物１００を入れ、蓋体２を締めることができ、使用勝手を向上させることができ、また、右側面部４Ｅと左側面部４Ｆにバネ付蝶番を、少なくとも、第１の蝶番Ｈ１１，Ｈ１２、第３の蝶番Ｈ１，Ｈ２、第５の蝶番Ｈ１７，Ｈ１８の内の何れか一つと、第２の蝶番Ｈ１３，Ｈ１４、第４の蝶番Ｈ３，Ｈ４、第６の蝶番Ｈ１５，Ｈ１６の内の何れか一つとを、それぞれ設けているため、背面部４Ｂに対して右側面部４Ｅ及び左側面部４Ｆが垂直か、又は背面部４Ｂに対して右側面部４Ｅ及び左側面部４Ｆが平行かの二者択一を確実にとることができ、収納体４の展開（「六面体状の内部空間」）、非展開（収納体の折り畳み）を容易に行うことができ、使用勝手を向上させることができる。
なお、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向へ突出するように展開させて、収納体４内に荷物１００を受け入れ、受け入れ後、蓋体２を閉め前記展開の状態は、蓋体２を開けた貫通孔１ａを見て、前方に背面部４Ｂ、この背面部４Ｂの前下方に底面部４Ｄ、背面部４Ｂの前上方であって底面部４Ｄに対向する上面部４Ｃ、背面部４Ｂの前右に右側面部４Ｅ、背面部４Ｂの前左であって右側面部４Ｆに対向する左側面部４Ｆであり、収納体４内の荷物１００の排出時、蓋体２を開け、収納体４内に受け入れた荷物１００を取り出すものである。
【００５５】
また、上述した実施例において、荷物１００の出し入れは、蓋体２のみであったが、本願発明にあっては、これに限らず、背面部４Ｂから荷物１００を取り出すようにしても良い（図２３〜図２７）。
そのため、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’に回動自在に接続され、収納体４の開口部を開閉するようになっている。
この場合の荷物受入装置Ｐの本体１は、壁又はドア又はドアの袖付き枠又は引き戸又は門扉又は前記門扉近傍に設置された壁体である。また、貫通孔１ａは、本体１を貫通し、
荷物１００を入れるものである。本体１に取付けられる第１の枠体４Ｇに蓋体２が回動自在に接続され、貫通孔１ａを開閉する。収納体４は、貫通１ａ孔内に折曲自在に収納され、蓋体２から遠ざかる方向に突出して、内部に荷物１００を受け入れるものとなっている。
収納体４は、背面部４Ｂ、右側面部４Ｅ、左側面部４Ｆ、上面部４Ｃ、底面部４Ｄ、第２の枠体４Ｇ’を有している。右側面部４Ｅは、第１の枠体４Ｇに回動自在に接続され、
左側面部４Ｆは、第１の枠体４Ｇに回動自在に接続され、上面部４Ｃは、第１の枠体４Ｇに回動自在に接続され、底面部４Ｄは、第１の枠体４Ｇに回動自在に接続されている。
【００５６】
従って、収納体４の収納時、収納体４は、蓋体２から貫通孔１ａを見て、前方上方に上面部４Ｃ、上面部４Ｃの下方に底面部４Ｄ、上面部４Ｃ及び底面部４Ｄの後方に折曲した右側面部４Ｅ及び左側面部４Ｆ、折曲した右側面部４Ｅ及び左側面部４Ｆの後方に第２の枠体４Ｇ’、第２の枠体４Ｇ’の後方に背面部４Ｂが位置するように収納される（図２４）。
なお、図２４記載の垂直方向の底面部４Ｄが折曲途中の右側面部４Ｅ及び左側面部４Ｆの側へ倒れ込まないように、図示しないが、図２４記載の垂直方向の底面部４Ｄと蓋体２とは、保持手段が設けられている。例えば、底面部４Ｄに磁石が設けられ、この磁石の対応する蓋体２の部位が磁性体で形成されている。また、図２３、図２４に示すＴは、図２３の展開した収納体４（図２７）を押し込んで、図２４に示すように折り畳む際の把手である。
【００５７】
また、図２６、図２７に示すように、第１の枠体４Ｇに接続されていない右側面部４Ｅの端部に第２の枠体４Ｇ’が接続され、 第１の枠体４Ｇに接続されていない左側面部４Ｆの端部に前記第２の枠体４Ｇ’が接続されている。右側面部４Ｅは、折曲自在であり、左側面部４Ｆは、折曲自在であり、背面部４Ｂは、第２の枠体４Ｇ’の開口部を開閉するものであり、図２８に示すように、第２の枠体４Ｇ’の開口部を背面部４Ｂにより開として、収納体４内の荷物１００を取り出すことができる（図２７）。
【００５８】
また、右側面部４Ｅは、第１の右側面部４Ｅ１と第２の右側面部４Ｅ２とを有し、第１の右側面部４Ｅ１と第２の右側面部４Ｅ２とは第１の蝶番Ｈ１１，Ｈ１２（第１の蝶番Ｈ１１，Ｈ１２は、第１のバネ付蝶番でも良い。）によって接続され、左側面部４Ｆは、第１の左側面部４Ｆ１と第２の左側面部４Ｆ２とを有し、第１の左側面部４Ｆ１と第２の左側面部４Ｆ２とは第２の蝶番Ｈ１３，Ｈ１４（第２の蝶番Ｈ１３，Ｈ１４は、第２のバネ付蝶番でも良い。）によって接続されている。
第１の右側面部４Ｅ１と第１の枠体４Ｇとは第３の蝶番Ｈ５，Ｈ６（第３の蝶番Ｈ５，Ｈ６は、第３のバネ付蝶番でも良い。）によって接続され、第１の左側面部４Ｆ１と第１の枠体４Ｇとは第４の蝶番Ｈ３，Ｈ４（第４の蝶番Ｈ３，Ｈ４は、第４のバネ付蝶番でも良い。）によって接続され、第２の右側面部４Ｅ２と第２の枠体４Ｇ’とは第５の蝶番Ｈ１７，Ｈ１８（第５の蝶番Ｈ１７，Ｈ１８は、第５のバネ付蝶番でも良い。）によって接続され、第２の左側面部４Ｆ２と第２の枠体４Ｇ’とは第６の蝶番Ｈ１５，Ｈ１６（第６の蝶番Ｈ１５，Ｈ１６は、第６のバネ付蝶番でも良い。）によって接続されている。
上述のバネ付蝶番（例えば、図２６、図２７）は、少なくとも、第１の蝶番Ｈ１１，Ｈ１２、第３の蝶番Ｈ５，Ｈ６、第５の蝶番Ｈ１７，Ｈ１８の内の何れか一つと、第２の蝶番Ｈ１３，Ｈ１４、第４の蝶番Ｈ３，Ｈ４、第６の蝶番Ｈ１５，Ｈ１６の内の何れか一つであれば良い（場合により、第１の蝶番Ｈ１１，Ｈ１２、第３の蝶番Ｈ５，Ｈ６、第５の蝶番Ｈ１７，Ｈ１８、第２の蝶番Ｈ１３，Ｈ１４、第４の蝶番Ｈ３，Ｈ４、第６の蝶番Ｈ１５，Ｈ１６全てバネ無し蝶番としても良い。）。
図２４に示すように、収納体４の貫通孔１ａ内への収納時、右側面部４Ｅ及び左側面部４Ｆが折れ曲がり、蓋体２から見て、貫通孔１ａ側に回動した上面部４Ｃ及び底面部４Ｄの後方に折れ曲がった右側面部４Ｅ及び左側面部４Ｆが位置し、
荷物１００の受け入れ時、図２５の状態から図２６の状態にして、上面部４Ｃ及び/又は底面部４Ｄを回動させて、右側面部４Ｅ及び/又は左側面部４Ｆを前記バネ付蝶番の付勢力を利用して押し広げて、前記収納体４が展開する。
【００５９】
従って、上述した図２３〜図２７記載の荷物受入装置Ｐによれば、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向に突出するように展開させて（図２５の状態から図２６の状態）、つまり、収納体４を貫通孔１ａ（荷物１００の受け入れ開口部）、底面部４Ｄ、上面部４Ｃ、右側面部４Ｅ、左側面部４Ｆ、背面部４Ｂの「六面体状の内部空間」を形成し、この内部空間内に荷物１００を入れ、又は、荷物１００で垂直方向の底面部４Ｄ及び上面部４Ｃを室内側に押し込んで（又は、図２５に示すように、立設状態の底面部４Ｄと立設状態の上面部４Ｃとの間の隙間３００に手又は、工具（図示しないが、例えば、ドライバー）を用いて、背面部４B又は折曲した右側面部４E又は折曲した左側面部４Fを蓋体２から遠ざかる方向に押し当てて、収納体４を展開することができる。）、内部空間内に荷物１００を入れ、蓋体２を締めることができ、使用勝手を向上させることができ、また、右側面部４Eにバネ付蝶番、左側面部４Fにバネ付蝶番をそれぞれ設けているため、背面部４Bに対して右側面部４E及び左側面部４Fが垂直か、又は、背面部４Bに対して右側面部４E及び左側面部４Fが平行かの二者択一を確実にとることができ、収納体４の展開（「六面体状の内部空間」）、非展開（収納体４の折り畳み）を容易に行うことができ、使用勝手を向上させることができ、しかも、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’の開口部を開閉するものであるため、収納体４内の荷物１００を取り出すことができ、更に、底面部４Ｄ、上面部４Ｃ、右側面部４Ｅ、左側面部４Ｆ、背面部４Ｂの「六面体状の内部空間」を、第１、第２の枠体４Ｇ、４Ｇ’により強く保持することができる。
【００６０】
なお、図２３〜図２７記載の第１の蝶番Ｈ１１，Ｈ１２、第３の蝶番Ｈ５，Ｈ６、第５の蝶番Ｈ１７，Ｈ１８、第２の蝶番Ｈ１３，Ｈ１４、第４の蝶番Ｈ３，Ｈ４、第６の蝶番Ｈ１５，Ｈ１６全てバネ無し蝶番とした場合の荷物受入装置Ｐにあっては、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向に突出するように展開させて、つまり、収納体４を貫通孔１ａ（荷物１００の受け入れ開口部）、底面部４Ｄ、上面部４Ｃ、右側面部４Ｅ、左側面部４Ｆ、背面部４Ｂの「六面体状の内部空間」を形成し、この内部空間内に荷物１００を入れ、又は、荷物１００で垂直方向の底面部４Ｄ及び上面部４Ｃを蓋体２から遠ざかる方向に押し込んで内部空間内に荷物１００を入れ、蓋体２を締めることができ、しかも、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’の開口部を開閉するものであるため、収納体４内の荷物１００を背面部４Ｂを開として取り出すことができ、更に、底面部４Ｄ、上面部４Ｃ、右側面部４Ｅ、左側面部４Ｆ、背面部４Ｂの「六面体状の内部空間」を、第１、第２の枠体４Ｇ、４Ｇ’により強く保持することができる。
【００６１】
上述した実施例の第２の枠体４Ｇ’に回動自在に接続された上面部４Ｃに替えて、本体１に回動自在に接続された上面部４Ｃ’でも良い（図２８〜図３１）。
【００６２】
この場合の荷物受入装置Ｐの本体１は、壁又はドア又はドアの袖付き枠又は引き戸又は門扉１’（図２２）又は門扉１’近傍に設置された壁体１”（図２２）である。
貫通孔１ａは、本体１を貫通し、荷物１００を入れるようになっている。蓋体２は、本体１に取付けられる第１の枠体４Ｇに回動自在に接続され、貫通孔１ａを開閉する。
収納体４は、貫通孔１ａ内に折曲自在に収納され、蓋体２から遠ざかる方向に突出して、内部に荷物１００を受け入れるようになっている。収納体４は、背面部４Ｂ、右側面部４Ｅ、左側面部４Ｆ、底面部４Ｄ、第２の枠体４Ｇ’を有し、上面部４Ｃ’は、本体１
に回動自在に接続され、右側面部４Ｅ、左側面部４Ｆ、底面部４Ｄで囲まれた上方空間を覆うものである。上面部４Ｃ’の右側部は、右側面部４Ｅの上端部を乗り越えて垂下し、上面部４Ｃ’の左側部は、左側面部４Ｆの上端部を乗り越えて垂下し、上面部４Ｃ’の先端部は、背面部４Ｂの上端部を乗り越えている。
これは、荷物受入装置Ｐが門扉１’（図２２）又は門扉１’近傍に設置された壁体１”（図２２）に取り付けられた場合、雨が収納体４への侵入を防ぐためである。
そして、第１の枠体４Ｇを介して収納体４は、本体１に取付けられ（例えば、接着）ている。右側面部４Ｅは、第１の枠体４Ｇに回動自在に接続され、左側面部４Ｆは、第１の枠体４Ｇに回動自在に接続され、底面部４Ｄは、第１の枠体４Ｇに回動自在に接続され、上面部４Ｃ’は、本体１に回動自在に接続され、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’に回動自在に接続されている。右側面部４Ｅは、折曲自在であり、左側面部４Ｆは、折曲自在であり、背面部４Ｂは、第２の枠体４Ｇ’の開口部を開閉するものである。
【００６３】
従って、収納体４の収納時、収納体４は、蓋体２から貫通孔１ａを見て、前方下方に底面部４Ｄ、底面部４Ｄの後方に折曲した右側面部４Ｅ及び左側面部４Ｆ、折曲した右側面部４Ｅ及び左側面部４Ｆの後方に第２の枠体４Ｇ’、第２の枠体４Ｇ’の後方に背面部４Ｂ、背面部４Ｂの後方に上面部４Ｃ’が位置するように収納され（図２９）、
収納体４の貫通孔１ａ内への収納時、上面部４Ｃ’は本体１に接続されて垂下した状態にあり（図２９）、荷物１００を受け入れ時、貫通孔１ａ内に折り畳まれた収納体４を蓋体２から遠ざかる方向に突出する際、上面部４Ｃ’と第２の枠体４Ｇ’の接触により上面部４Ｃ’が上方に回動する（図３０）。 
【００６４】
なお、 図３０、図３１に示すように、右側面部４Ｅは、第１の右側面部４Ｅ１と第２の右側面部４Ｅ２とを有し、第１の右側面部４Ｅ１と第２の右側面部４Ｅ２とは第１の蝶番Ｈ１１，Ｈ１２（第１の蝶番Ｈ１１，Ｈ１２は、第１のバネ付蝶番でも良い。）によって接続され、左側面部４Ｆは、第１の左側面部４Ｆ１と第２の左側面部４Ｆ２とを有し、
第１の左側面部４Ｆ１と第２の左側面部４Ｆ２とは第２の蝶番Ｈ１３，Ｈ１４（第２の蝶番Ｈ１３，Ｈ１４は、第２のバネ付蝶番でも良い。）によって接続されている。
第１の右側面部４Ｅ１と第１の枠体４Ｇとは第３の蝶番（第３の蝶番は、図示されていないが、図２７記載と同様な第３の蝶番Ｈ５，Ｈ６であり、第３の蝶番は、第３のバネ付蝶番でも良い。）によって接続され、第１の左側面部４Ｆ１と第１の枠体４Ｇとは第４の蝶番Ｈ３，Ｈ４（第４の蝶番Ｈ３，Ｈ４は、第４のバネ付蝶番でも良い。）によって接続され、第２の右側面部４Ｅ２と第２の枠体４Ｇ’とは第５の蝶番Ｈ１７，Ｈ１８（第５の蝶番Ｈ１７，Ｈ１８は、第５のバネ付蝶番でも良い。）によって接続され、第２の左側面部４Ｆ２と第２の枠体４Ｇ’とは第６の蝶番Ｈ１５，Ｈ１６（第６の蝶番Ｈ１５，Ｈ１６は、第６のバネ付蝶番でも良い。）によって接続されている。
上述のバネ付蝶番（例えば、図３０、図３１）は、少なくとも、第１の蝶番Ｈ１１，Ｈ１２、第３の蝶番（第３の蝶番は、図示されていないが、図２７記載と同様な第３の蝶番Ｈ５，Ｈ６）、第５の蝶番Ｈ１７，Ｈ１８の内の何れか一つと、第２の蝶番Ｈ１３，Ｈ１４、第４の蝶番Ｈ３，Ｈ４、第６の蝶番Ｈ１５，Ｈ１６の内の何れか一つであれば良い（場合により、第１の蝶番Ｈ１１，Ｈ１２、第３の蝶番（第３の蝶番は、図示されていないが、図２７記載と同様な第３の蝶番Ｈ５，Ｈ６）、第５の蝶番Ｈ１７，Ｈ１８、第２の蝶番Ｈ１３，Ｈ１４、第４の蝶番Ｈ３，Ｈ４、第６の蝶番Ｈ１５，Ｈ１６全てバネ無し蝶番としても良い。）。
図２９に示すように、収納体４の貫通孔１ａ内への収納時、前記バネ付蝶番の付勢力に抗して、右側面部４Ｅ及び左側面部４Ｆが折れ曲がり、蓋体２から見て、貫通孔１ａ側に回動した底面部４Ｄの後方に折れ曲がった右側面部４Ｅ及び左側面部４Ｆが位置し、荷物１００の受け入れ時、図３９に示すように、貫通孔１ａ内に折り畳まれた収納体４を蓋体２から遠ざかる方向に突出する際、上面部４Ｃ’と第２の枠体４Ｇ’の接触により上面部４Ｃ’が上方に回動すると共に、上面部４Ｃ’及び/又は底面部４Ｄを回動させて、右側面部４Ｅ及び/又は左側面部４Ｆを前記バネ付蝶番の付勢力を利用して押し広げて、収納体４が展開する。
底面部４Ｄと上面部４Ｃを立設して収納体４を折り畳んだ収納状態と立設した底面部４Ｄと立設した上面部４Ｃを水平方向にして収納体４を展開させる展開状態を有し、収納体４を折り畳んだ収納状態を保持する保持手段７とを備えている。
保持手段７は、図２３と同様、図２８及び図２９に示すように、第１の枠体４Ｇに設けた部材７１が第１の磁石とこの第１の磁石に吸着する第２の枠体４Ｇ’に設けた部材７２が第２の磁石、又は、第１の枠体４Ｇに設けた部材７１が第１の磁石とこの第１の磁石に吸着する第２の枠体４Ｇ’に設けた部材７２が第１の磁性体、又は、第２の枠体４Ｇ’に設けた部材７２が第２の磁石とこの第２の磁石に吸着する第１の枠体４Ｇに設けた部材７１が第２の磁性体である。
この荷物の受け入れ取り出し方法(荷物受入装置Ｐ)によれば、保持手段７が設けられ
ているため、収納体４の貫通孔１ａ内への収納状態を保持でき、収納体４が蓋体２から遠ざかる方向に突出するのを防ぐことができ、加えて、図２５と異なり、隙間は形成されているので、蓋体２を開いて、手又は、工具（図示しないが、ドライバー等の工具）を用いて、背面部４Ｂ又は折曲した右側面部４Ｅ又は折曲した左側面部４Ｆを蓋体２から遠ざかる方向に押し当てて、右側面部４Ｅ及び/又は左側面部４Ｆをバネ付蝶番の場合にあっては、バネ付蝶番の付勢力を利用して、保持手段７に抗して収納体４を容易に展開することができる。
【００６５】
従って、上述した図２８〜図３１記載の荷物受入装置Ｐによれば、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向に突出するように展開させて、つまり、収納体４を貫通孔１ａ（荷物１００の受け入れ開口部）、底面部４Ｄ、上面部４Ｃ’、右側面部４Ｅ、左側面部４Ｆ、背面部４Ｂの「六面体状の内部空間」を形成し、この内部空間内に荷物１００を入れ、又は、荷物１００で垂直方向の底面部４Ｄ及び上面部４Ｃ’を室内側に押し込んで内部空間内に荷物１００を入れ、蓋体２を締めることができ、使用勝手を向上させることができ、また、右側面部４Ｅにバネ付蝶番、左側面部４Ｆにバネ付蝶番をそれぞれ設けているため、背面部４Ｂに対して右側面部４Ｅ及び左側面部４Ｆが垂直か、又は、背面部４Ｂに対して右側面部４Ｅ及び左側面部４Ｆが平行かの二者択一を確実にとることができ、収納体４の展開（「六面体状の内部空間」）、非展開（収納体４の折り畳み）を容易に行うことができ、使用勝手を向上させることができ、しかも、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’の開口部を開閉するものであるため、収納体４内の荷物１００を取り出すことができ、更に、底面部４Ｄ、上面部４Ｃ’、右側面部４Ｅ、左側面部４Ｆ、背面部４Ｂの「六面体状の内部空間」を、第１、第２の枠体４Ｇ、４Ｇ’により強く保持することができる。
【００６６】
なお、図２３〜図２７記載の第１〜第６の蝶番と同様、図２８〜図３１記載の第１の蝶番Ｈ１１，Ｈ１２、第３の蝶番（第３の蝶番は、図示されていないが、図２７記載と同様な第３の蝶番Ｈ５，Ｈ６）、第５の蝶番Ｈ１７，Ｈ１８、第２の蝶番Ｈ１３，Ｈ１４、第４の蝶番Ｈ３，Ｈ４、第６の蝶番Ｈ１５，Ｈ１６全てバネ無し蝶番とした場合の荷物受入装置Ｐにあっては、収納体４の貫通孔１ａ内への収納時、収納体４は、折り畳まれて貫通孔１ａ内に収納され、荷物１００を受け入れ時、貫通孔１ａ内に折り畳まれた収納体４を、蓋体２から遠ざかる方向に突出するように展開させて、つまり、収納体４を貫通孔１ａ（荷物１００の受け入れ開口部）、底面部４Ｄ、上面部４Ｃ’、右側面部４Ｅ、左側面部４Ｆ、背面部４Ｂの「六面体状の内部空間」を形成し、この内部空間内に荷物１００を入れ、又は、荷物１００で垂直方向の底面部４Ｄを蓋体２から遠ざかる方向に押し込んで内部空間内に荷物１００を入れ、蓋体２を締めることができ、しかも、第１の枠体４Ｇに接続されていない右側面部４Ｅの端部に第２の枠体４Ｇ’が接続され、第１の枠体４Ｇに接続されていない左側面部４Ｆの端部に第２の枠体４Ｇ’が接続され、背面部４Ｂは、第２の枠体４Ｇ’の開口部を開閉するものであるため、収納体４内の荷物１００を背面部４Ｂを開として取り出すことができ、更に、底面部４Ｄ、上面部４Ｃ’、右側面部４Ｅ、左側面部４Ｆ、背面部４Ｂの「六面体状の内部空間」を、第１、第２の枠体４G、４Ｇ’により強く保持することができる。
【００６７】
なお、図２９に示すＴは、図２８の展開した収納体４を押し込んで、図２９に示すように折り畳む際の把手である。把手Ｔの位置は、図２９記載の位置にあるが、望ましくは、図２４記載のように高い位置に設けるのが良い。
【００６８】
また、図１３、図１５、図１６、図１７、図２１、図２５、図２６、図３０、図３１に示す底面支持部材９０は、背面部４Ｂに設けられ、水平方向の底面部４Ｄを支持するもので、従来のような韓国公開実用新案第２０−２０１５−００００４０７号公報記載のような複雑な底部（２０）ではない簡易な底面支持部材９０で達成することができる。
【００６９】
また、図２３、図２７、図２８、図３１に示すレバーＬは、収納体４の折り畳みを容易にするために、第２の枠体４Ｇ’の側から底面部４Ｄを水平方向から垂直方向へ回動させるレバーＬである。
【符号の説明】
【００７０】
Ｐ        荷物受入装置
１        ドア（本体）
１ａ      貫通孔
２        外側蓋体
３        施錠手段
４        収納体
【要約】      （修正有）【課題】使用勝手を向上させた荷物受入装置を提供する。【解決手段】荷物を受け入れ時、貫通孔から折り畳まれた収納体４は室内側へ突出し、内部に荷物を受け入れるために、室外側から見て開口部４Ａ、開口部４Ａに対向する背面部４Ｂ、上面部４Ｃ、底面部４Ｄ、右側面部４Ｅ、左側面部４Ｆを有し、収納体４の貫通孔内への収納時、収納体４は折り畳まれて貫通孔内に収納され、施錠手段で施錠を解除して外側蓋体を開け、荷物を収納体４内へ入れ、荷物が収納体４に収納され、その後、外側蓋体を締めて施錠することができ、施錠手段で施錠を解除して外側蓋体を開け、収納体４内の前記荷物を取り出す。【選択図】図６【図１】
0006933418.tif 000002
【図２】
0006933418.tif 000003
【図３】
0006933418.tif 000004
【図４】
0006933418.tif 000005
【図５】
0006933418.tif 000006
【図６】
0006933418.tif 000007
【図７】
0006933418.tif 000008
【図８】
0006933418.tif 000009
【図９】
0006933418.tif 000010
【図１０】
0006933418.tif 000011
【図１１】
0006933418.tif 000012
【図１２】
0006933418.tif 000013
【図１３】
0006933418.tif 000014
【図１４】
0006933418.tif 000015
【図１５】
0006933418.tif 000016
【図１６】
0006933418.tif 000017
【図１７】
0006933418.tif 000018
【図１８】
0006933418.tif 000019
【図１９】
0006933418.tif 000020
【図２０】
0006933418.tif 000021
【図２１】
0006933418.tif 000022
【図２２】
0006933418.tif 000023
【図２３】
0006933418.tif 000024
【図２４】
0006933418.tif 000025
【図２５】
0006933418.tif 000026
【図２６】
0006933418.tif 000027
【図２７】
0006933418.tif 000028
【図２８】
0006933418.tif 000029
【図２９】
0006933418.tif 000030
【図３０】
0006933418.tif 000031
【図３１】
0006933418.tif 000032